(57)【要約】  本発明は、少なくとも意図された使用周波数帯域において、波が導波管開口３の周囲の表面の間のギャップを通過して、所望の方向、すなわち導波管経路にある別の導波管開口３に伝送されることを可能にし、他の方向でのギャップ内の波の伝搬を妨げるべく配置または設計された複数の突出要素１１５によって形成された周期構造または準周期構造（テクスチャ表面１５）を有する導電性材料の表面を含む複数のフランジアダプタ要素１００を備えた導波管構造（１０、１２）または構成要素の相互接続のための装置に関する。装置は、電気的接触、すなわち導電性接触を必要とすることなく導波管フランジまたは別の導波管フランジアダプタ要素との相互接続を可能にし、周期的または準周期的に配置されている突出要素１１５によって形成された少なくとも１つのテクスチャ表面１５と、他方の導波管フランジ２０の導波管開口の周囲の表面との間に前記ギャップ３０が存在することを確実にし、したがって、周期的または準周期的に配置された突出要素１１５によって形成されたテクスチャ表面１５が、向かい合った相互接続する導波管フランジ２０と直接機械的に接触しないことを確実にする相互接続手段を含む。【選択図】図１
2019515563.tif 000002
【特許請求の範囲】
【請求項１】
導波管構造または構成要素の相互接続のための導波管フランジアダプタ要素（１００；１００Ａ；１００Ｂ１、１００Ｂ２；１００Ｃ；１００Ｆ；１００Ｇ）を含む装置であって、
少なくとも意図された使用周波数帯域において、波が導波管開口（３；３Ａ；３Ｂ；３Ｃ；３Ｄ；３Ｅ；３Ｆ；３Ｇ）の周囲の表面から、所望の方向、すなわち導波管経路にある別の導波管開口の間のギャップ（３０；３０Ｂ）を通過することを可能にし、他の方向でのギャップ内の波の伝搬を妨げるべく構成または設計された複数の突出要素（１１５；１１５Ａ；１１５Ｂ１，１１５Ｂ２；１１５Ｃ；１１５Ｄ；１１５Ｅ；１１５Ｆ；１１５Ｇ）によって形成される周期構造または準周期構造を有する導電性材料からなる表面が前記導波管フランジアダプタ要素に設けられ、
前記装置は、電気的接触、すなわち導電性接触を伴うことなく導波管フランジまたは別の導波管フランジアダプタ要素との相互接続を可能にするべく、周期的または準周期的に配置されている突出要素（１１５；１１５Ａ；１１５Ｂ；１１５Ｃ；１１５Ｄ；１１５Ｅ；１１５Ｇ）によって形成された少なくとも１つの表面（１５；１５Ａ；１５Ｂ１；１５Ｃ；１５Ｄ；１５Ｅ；１５Ｆ；１５Ｇ）と、他方の導波管フランジ（２０；２０Ａ；２０Ｃ）または別の導波管フランジアダプタ要素（１００Ｂ２）の、他方の導波管開口の周囲の表面との間に前記ギャップ３０が設けられ、
前記装置が、周期的または準周期的に配置された前記突出要素（１１５；１１５Ａ；１１５Ｂ；１１５Ｃ；１１５Ｄ；１１５Ｅ；１１５Ｇ）によって形成された１つ以上の前記表面（１５；１５Ａ；１５Ｂ１；１５Ｃ；１５Ｄ；１５Ｅ；１５Ｆ；１５Ｇ）が、互いに対向する相互接続するべき導波管フランジ（２０；２０Ａ；２０Ｃ）または導波管フランジアダプタ要素（１００Ｂ２）に直接機械的に接触させることのない相互接続手段を含むことを特徴とする装置。
【請求項２】
請求項１に記載の導波管構造の相互接続のための装置であって、
前記ギャップ（３０）はλ／４より小さく、λは前記ピンを囲む前記媒体内の前記波長であり、
前記ギャップ（３０）は、通常、自由空間であるが、誘電媒体（１、２、１Ａ、２Ａ；１Ｂ、２Ｂ；１Ｃ、２Ｃ；１Ｇ）であってもよく、例えば、測定、較正などをなされるべき導波管信号の対応する導波管周波数帯域の波長または中心周波数波長の１／４であることを特徴とする装置。
【請求項３】
請求項１または２に記載の導波管構造の相互接続のための装置であって、
前記相互接続手段は、周期的または準周期的に配置された前記突出要素（１１５；１１５Ａ；１１５Ｂ１；１１５Ｂ２；１１５Ｃ；１１５Ｄ；１１５Ｅ；１１５Ｆ；１１５Ｇ）によって形成された前記表面（１５；１５Ａ；１５Ｂ１，１５Ｂ２；１５Ｃ；１５Ｄ；１５Ｅ；１５Ｆ；１５Ｇ）を少なくとも部分的に囲むリム、突条、または任意の他の保護要素もしくは支持要素（１０５；１０５Ａ；１０５Ｃ；１０５Ｇ）、あるいは層を含むことを特徴とする装置。
【請求項４】
請求項１〜３のいずれか１項に記載の導波管構造の相互接続のための装置であって、
相互接続されるべき２つの導波管フランジ（１０、２０；１０Ｂ、２０Ｂ；１０Ｃ、２０Ｃ；１０Ｆ、２０Ｆ）の間に解放可能に配置されるように適合された、少なくとも１つの別個の固定されていないフランジアダプタ要素を含むことを特徴とする装置。
【請求項５】
請求項１〜４のいずれか１項に記載の導波管構造の相互接続のための装置であって、
前記少なくとも１つのフランジアダプタ要素は、周期的または準周期的に配置された突出要素（１１５；１１５Ａ；１１５Ｃ；１１５Ｄ；１１５Ｅ；１１５Ｆ；１１５Ｇ）、すなわち前記テクスチャ表面によって形成された前記表面（１５；１５Ａ；１５Ｂ１，１５Ｂ２；１５Ｃ；１５Ｄ；１５Ｅ；１５Ｆ；１５Ｇ）の周囲、かつ前記表面から少し離れた位置に、実質的に対称に配置された整列ピン受け孔（１０１；１０１Ａ；１０１Ｃ；１０１Ｆ）を含み、
前記フランジアダプタ要素は、前記フランジアダプタ要素の前記整列ピン受け孔（１０１；１０１Ａ；１０１Ｃ；１０１Ｆ；１０１Ｇ）、及び前記相互接続する導波管フランジ（１０、２０；１０Ｃ、２０Ｃ；１０Ｆ、２０Ｆ；１０Ｇ）内の協働するピン受け孔に導入された整列ピン（１１１）によって、前記相互接続導波管フランジに関して整列するように配置されることを特徴とする装置。
【請求項６】
請求項４または５に記載の導波管構造の相互接続のための装置であって、
少なくとも１つのフランジアダプタ要素を含み、
前記少なくとも１つのフランジアダプタ要素はそれぞれ、周期的または準周期的に配置された突出要素（１１５；１１５Ａ；１１５Ｂ；１１５Ｃ；１１５Ｄ；１１５Ｅ；１１５Ｆ；１１５Ｇ）によって形成された１つの表面（１５；１５Ａ；１５Ｂ１、１５Ｂ２；１５Ｃ；１５Ｄ；１５Ｅ；１５Ｆ、１５Ｇ）、すなわちテクスチャ表面を含むことを特徴とする装置。
【請求項７】
請求項６に記載の導波管構造の相互接続のための装置であって、
前記フランジアダプタ要素は、導波管フランジに、固定的または解放可能に接続可能であるように適合されることを特徴とする装置。
【請求項８】
請求項７に記載の導波管構造の相互接続のための装置であって、
前記フランジアダプタ要素は、２つの導波管フランジに解放可能に接続されるか、またはその間に介在するように適合され、かつ整列ピン１１１上に摺動可能に配置されることを特徴とする装置。
【請求項９】
請求項７または８に記載の導波管構造の相互接続のための装置であって、
前記相互接続手段は、相互接続要素をさらに含み、
前記フランジアダプタ要素は、複数の貫通凹部（１０２、１０３；１０２Ａ；１０３Ａ；１０２Ｃ、１０３Ｃ；１０２Ｆ；１０３Ｆ）、もしくは相互接続要素（１２；１２Ａ；１２Ｂ；１２Ｃ；１２Ｇ１、１２Ｇ２）もしくはその部分の受容を可能にする突出部すなわちウイング部（１７５Ｂ、１７６Ｂ）、または少なくとも１つの相互接続導波管フランジに接続されている相互接続要素（１３Ａ；１３Ｇ）を含み、
前記相互接続要素は、他方の相互接続導波管フランジの磁性要素、または前記他方の相互接続導波管フランジ（１０；１０Ａ；１０Ｂ；１０Ｃ；１０Ｆ；１０Ｇ）の相互接続要素（２２；２２Ａ；２２Ｂ；２２Ｃ；２２Ｆ）の磁性要素すなわち磁性部分（２３；２３Ａ；２３Ｂ；２３Ｃ；２３Ｆ）と協働するように適合された磁性要素すなわち磁性部分（１３；１３Ａ；１３Ｂ；１３Ｃ；１３Ｆ；１３Ｇ）を含むことを特徴とする装置。
【請求項１０】
請求項９に記載の導波管構造の相互接続のための装置であって、
前記相互接続要素の少なくともいくつかは、磁性頭部または磁性要素（１３；１３Ａ；１３Ｂ；１３Ｃ）によって固定的または解放可能に接続可能な、例えばねじ（１２；１２Ａ；１２Ｂ；１２Ｃ）などの固定要素、または、磁性要素（１３Ｇ）によって固定的または解放可能に接続可能なクランプ要素もしくはクリップ、スナップオン要素（１２Ｇ１、１２Ｇ２）を含むことを特徴とする装置。
【請求項１１】
請求項１０に記載の導波管構造の相互接続のための装置であって、
前記フランジアダプタ要素が２つの導波管フランジの間に差し込まれ、整列されると、１つの導波管フランジの前記相互接続要素の、または前記１つの導波管フランジに接続された前記相互接続要素の磁性要素すなわち磁性部分（１３；１３Ａ；１３Ｂ；１３Ｃ；１３Ｇ）と、他方の導波管フランジの前記相互接続要素の、または前記他方の導波管フランジに接続された前記相互接続要素の前記磁性要素すなわち磁性部分（２３；２３Ａ；２３Ｂ；２３Ｃ）との間の引力によって、前記導波管フランジは相互接続され、前記フランジアダプタ要素はその間にクランプまたは保持されることを特徴とする装置。
【請求項１２】
請求項１１に記載の導波管フランジの相互接続のための装置であって、
前記相互接続要素は、例えば標準導波管フランジのための突出部（１２；１２Ｂ；１２Ｃ；１２Ｇ１・・・）を有するねじまたはスリーブを含み、
前記フランジアダプタ要素は、ねじ頭部、すなわち突出部の高さの実質的に２倍に対応する厚さ、すなわち高さを有するか、またはその逆であり、
前記ねじを含む前記相互接続要素は、両方の相互接続導波管フランジのねじ孔に導入されるように適合されることを特徴とする装置。
【請求項１３】
請求項６に記載の導波管構造の相互接続のための装置であって、
前記フランジアダプタ要素は、平滑な表面を有する２つの導波管フランジを相互接続するように適合され、
前記平滑な導波管フランジ表面の１つに、１つまたは各テクスチャ表面が面し、前記ギャップ（３０、３０Ｂ）はλ／４より小さく、λは前記ピンを囲む前記媒体中の前記波長であり、通常、自由空間であるが、誘電媒体であってもよい前記ギャップは、テクスチャ表面と、平滑な導波管フランジ表面との間に提供されることを特徴とする装置。
【請求項１４】
請求項１〜１３のいずれか１項に記載の導波管構造の相互接続のための装置であって、
前記フランジアダプタ要素は、固定要素（１７）、例えばねじによって平滑な導波管フランジ（１０Ａ；１０Ｂ；２０Ｂ）に接続もしくは固定されるか、または導波管フランジ（１０Ａ；１０Ｂ；２０Ｂ）に糊付けされるように適合され、これにより、前記テクスチャ表面（１５Ａ、１５Ｂ１、１５Ｂ２）は、固定される前記導波管フランジ（１０Ａ；１０Ｂ；２０Ｂ）と反対方向に面することを特徴とする装置。
【請求項１５】
請求項１４に記載の導波管構造の相互接続のための装置であって、
前記フランジアダプタ要素（１００Ａ）は、前記テクスチャ表面（１５Ａ）と反対側の側面に配置されたフランジアダプタ支持要素（１４５Ａ）に接続された、または前記フランジアダプタ支持要素（１４５Ａ）に一体のフランジアダプタ本体（１４０Ａ）を含み、
前記磁性要素（１３Ａ）は、前記貫通凹部（１０２Ａ、１０２Ａ、１０３Ａ、１０３Ａ）内に位置する前記フランジアダプタ支持要素の表面に接続され、かつ別の導波管フランジ（２０Ａ）に接続された相互接続要素（２２Ａ、．．．、２２Ａ）の磁性要素に接続されるように配置され、
前記フランジアダプタ支持要素（１４５Ａ）は、前記フランジアダプタ本体（１４０Ａ）とは反対方向の側面上で前記導波管フランジに固定されることを特徴とする装置。
【請求項１６】
請求項１〜１４のいずれか１項に記載の導波管構造の相互接続のための装置であって、
前記装置は２つのフランジアダプタ要素（１００Ｂ１、１００Ｂ２）を含み、前記フランジアダプタ要素はそれぞれ、複数の突出要素（１１５Ｂ）によって形成された周期構造または準周期構造（１５Ｂ、１５Ｂ）を有する導電性材料の表面を含み、
前記２つの表面の前記突出要素は、例えば、第１セットの突出要素の各突出要素が第２セットの突出要素の各突出要素に面するように相補的に配置され、各表面の２つの対応する要素の合計の高さすなわち長さが、任意の方向における前記フランジ間の前記ギャップの内部の波の伝搬を妨げる前記周期構造または準周期構造の全長を形成するような高さすなわち長さをそれぞれ有し、
少なくとも意図された周波数帯域において、１つのフランジ表面の導波管開口から他方のフランジ表面の導波管開口への前記ギャップを波が通過することを可能にし、
前記第１セット及び前記第２セットの前記突出要素の前記長さすなわち高さは同一であり、所望の阻止帯域を形成するために必要な前記全体の長さの実質的に半分の長さをそれぞれが有するか、または前記第１セット及び前記第２セットの、及び／または前記第１セット及び前記第２セット内の前記突出要素の前記長さすなわち高さはそれぞれ異なり、互いが面する２つの突出要素の前記全体の長さが、所望の阻止帯域を形成するために必要な前記全体の長さに実質的に対応する、すなわち前記突出要素が互いに対して補い合う位置に配置されることを特徴とする装置。
【請求項１７】
請求項１６に記載の導波管構造の相互接続のための装置であって、
各周期構造または準周期構造の前記突出要素（１１５）は同一の長さを有し、半分の長さの要素を形成することを特徴とする装置。
【請求項１８】
請求項１６または１７に記載の導波管構造の相互接続のための装置であって、
各フランジアダプタ要素（１００Ｂ１、１００Ｂ２）は、例えば、ねじ、ボルトなど、または導波管フランジを形成するもの自体によって、それぞれの導波管フランジ（１０Ｂ、２０Ｂ）に固定的または解放可能に接続されるように適合されることを特徴とする装置。
【請求項１９】
請求項１８に記載の導波管構造の相互接続のための装置であって、
各フランジアダプタ要素（１００Ｂ１、１００Ｂ２）は、磁性要素（１３Ｂ、２３Ｂ）を有するねじなどを含む、それぞれ同一の位置に設置された相互接続要素（１２Ｂ、２２Ｂ）によってそれぞれの導波管フランジ（１０Ｂ、２０Ｂ）に接続されるように適合され、２つの前記導波管フランジ（１０Ｂ、２０Ｂ）の磁性による相互接続を可能にすることを特徴とする装置。
【請求項２０】
請求項１６〜１９のいずれか１項に記載の導波管構造の相互接続のための装置であって、
各フランジアダプタ要素（１００Ｂ１、１００Ｂ２）は、前記それぞれのテクスチャ表面（１５Ｂ）の周囲に配置された４つの突出部すなわちウイング部（１７５Ｂ、１７５Ｂ、１７６Ｂ、１７６Ｂ）を含み、前記突出部はそれぞれ、相互接続要素（１２Ｂ、２２Ｂ）を受容するために適合された孔（１０２Ｂ）を含むことを特徴とする装置。
【請求項２１】
請求項１〜２０のいずれか１項に記載の導波管構造の相互接続のための装置であって、
前記周期的もしくは準周期的構造またはテクスチャ（１５；１５Ａ；１５Ｂ；１５Ｃ；１５Ｄ；１５Ｅ；１５Ｆ；１５Ｇ）、すなわちフランジアダプタ要素の前記導波管開口の周囲に配置された前記突出要素の前記パターンを含む前記フランジアダプタ要素の前記側面または表面は、良好な性能、すなわち、２つの接合し、相互接続する導波管構造の間の低い反射係数、及び高い透過係数を提供するように最適化されることを特徴とする装置。
【請求項２２】
請求項１〜２１のいずれか１項に記載の導波管構造の相互接続のための装置であって、
前記周期構造または準周期構造（１５；１５Ａ；１５Ｂ；１５Ｃ；１５Ｄ；１５Ｅ；１５Ｆ；１５Ｇ）は、正方形、矩形、楕円形、または円形の断面を有する複数の突出要素（１１５；１１５Ａ；１１５Ｂ；１１５Ｃ；１１５Ｄ；１１５Ｅ；１１５Ｆ；１１５Ｇ）を含むか、または断面、または波形の表面もしくは任意の他の周期構造もしくは準周期構造、例えば前記導波管開口（３；３Ａ；３Ｂ；３Ｃ；３Ｆ）の周囲に１以上の列の楕円形パターンで配置された突条及び溝を含むことを特徴とする装置。
【請求項２３】
請求項２２に記載の導波管構造の相互接続のための装置であって、
突出要素（１１５；１１５Ａ；１１５Ｄ；１１５Ｅ；１１５Ｆ；１１５Ｇ）、例えば溝などの間のピン、突条の前記高さは、高さが最大である突出要素の場合、すなわち、前記周期構造または準周期構造を有する前記フランジアダプタ構成要素が平滑な導電性表面を有する導波管フランジと相互接続される場合、実質的にλ／４−λ／２の高さを有し、または、高さが最大でない突出要素（１１５Ｂ）の場合、すなわち、前記周期構造または準周期構造を有する前記フランジアダプタ構成要素が、周期構造または準周期構造を有する別の導波管フランジ要素と相互接続される場合、λ／８−λ／４の高さを有し、λは、ピンを囲む媒体中の波長であり、前記媒体は通常自由空間であるが、誘電体媒体でもあり得ることを特徴とする装置。
【請求項２４】
請求項２１に記載の導波管構造の相互接続のための装置であって、
突出要素の前記周期構造または準周期構造（１１５；１１５Ａ；１１５Ｂ；１１５Ｃ；１１５Ｄ；ｆｆ１１５Ｅ；１１５Ｆ；１１５Ｇ）、すなわちテクスチャ表面を囲むように配置されたリムすなわち突条部を含み、
前記リムすなわち突条部は、前記導波管開口（３；３Ｂ；３Ｃ；３Ｄ；３Ｅ；３Ｆ；３Ｇ）の前記広い辺及び狭い辺を囲むように配置された長いリムすなわち突条部（１５１；１５１Ｄ；１５１Ｆ；１５１Ｇ）と、短いすなわち狭いリムすなわち突条部（１５２；１５２Ｄ；１５２Ｆ；１５２Ｇ）とを含むことを特徴とする装置。
【請求項２５】
請求項２４に記載の導波管構造の相互接続のための装置であって、
前記リムすなわち突条部（１５１、１５２；１５１Ｄ、１５２Ｄ；１５１Ｆ、１５２Ｆ；１５１Ｇ、１５２Ｇ）の前記寸法、例えば、厚さ及び長さは互いに対して選択され、
前記周期構造または準周期構造の前記パターン、及び前記リムすなわち突条寸法はまた、互いに対して選択されることにより、電気的性能を最適化するが、必要とされるリムすなわち突条の厚さに関する製造要件を考慮していることを特徴とする装置。
【請求項２６】
請求項２４または２５に記載の導波管構造の相互接続のための装置であって、
前記短いまたは狭い壁突条またはリム部の前記壁厚は、４５〜４５０μｍ、好ましくは４０〜４００μｍ、最も好ましくは２００〜４００μｍであることを特徴とする装置。
【請求項２７】
請求項２４〜２６のいずれか１項に記載の導波管構造の相互接続のための装置であって、
前記長いまたは広いリムすなわち突条部の前記壁厚は約λｇ／４であり、λｇは前記導波管における前記波長であることを特徴とする装置。
【請求項２８】
請求項２１〜２６のいずれか１項に記載の導波管構造の相互接続のための装置であって、
前記短いまたは狭いリムすなわち突条部（１５２；１５２Ｅ；１５２Ｆ；１５２Ｇ）の前記壁厚は、２００μｍ〜４００μｍであり、各長いまたは広い壁部（１５１Ｄ；１５１Ｅ；１５１Ｆ；１５１Ｇ）は、中央突条部すなわちプラットフォーム（１５１Ｄ'；１５１Ｅ'；１５１Ｆ'；１５１Ｇ'）と、その反対の外側に設けられた２つの狭い突条部（１５１Ｄ''、１５１Ｄ''；１５１Ｅ''、１５１Ｅ''；１５１Ｆ''、１５１Ｆ''；１５１Ｇ''）とを有する異なる部分を含み、
前記中央突条部（１５１Ｄ'；１５１Ｅ'；１５１Ｆ'）の前記壁厚は、約λｇ／４であることを特徴とする装置。
【請求項２９】
請求項２８に記載の導波管構造の相互接続のための装置であって、
前記中央突条部（１５１Ｄ'；１５１Ｅ'；１５１Ｆ'；１５１Ｇ'）の前記長さは、対象となる前記周波数帯域、例えば５０−７５ＧＨｚ、または任意の他の所望の周波数帯域内の漏れに関して最適化された性能を提供するように選択され、特に、前記短辺リムすなわち突条（１５２Ｄ；１５２Ｅ；１５２Ｆ；１５２Ｇ）の前記厚さに関し、前記短辺リムすなわち突条（１５２Ｄ；１５２Ｅ；１５２Ｆ；１５２Ｇ）の前記厚さが大きいほど、前記中央突条部、すなわちプラットフォーム（１５１Ｄ'；１５１Ｅ'；１５１Ｆ'；１５１Ｇ'）の前記長さＬが短くなることを特徴とする装置。
【請求項３０】
請求項１〜２９のいずれか１項に記載の導波管構造の相互接続のための配置であって、
前記周期構造または準周期構造の前記突出要素（１１５；１１５Ａ；１１５Ｂ；１１５Ｃ；１１５Ｄ；１１５Ｅ；１１５Ｆ；１１５Ｇ）は、前記導波管開口の周囲に１〜４列、またはそれより多くの列、特に１〜３列で配置され、例えば、異なる列における突出要素の数は異なることを特徴とする装置。
【請求項３１】
請求項３０に記載の導波管構造の相互接続のための装置であって、
前記周期構造または準周期構造の前記突出要素は、前記導波管開口の周囲に１〜３列、特に１〜２列で配置され、例えば、異なる列の突出要素の数は異なり、特に、前記周期構造または準周期構造の前記突出要素（１１５Ｆ；１１５Ｇ）は、前記導波管開口（３Ｆ；３Ｇ）の周囲に一列で配置されることを特徴とする装置。
【請求項３２】
請求項１〜３１のいずれか１項に記載の導波管構造の相互接続のための装置であって、
前記周期構造または準周期構造、及び前記テクスチャは、２つの相互接続し、接合するフランジの間から漏れする波に対する阻止帯域を提供するように設計され、前記テクスチャフランジ表面と、対向するフランジ表面との間に小さな前記溝（３０；３０Ｂ）を有し、
これにより、１つのフランジの前記導波管開口から、相互接続し、接合するフランジの導波管開口へ流れる波は影響を受けず、前記相互接続または接合からの前記反射は、従来の導波管フランジが強固に締結されたねじによって非常に緊密に相互接続されているか、または接合されている場合の反射及び伝送と実質的に同一または非常に類似することを特徴とする装置。
【請求項３３】
請求項１〜３２のいずれか１項に記載の導波管構造の相互接続のための装置であって、
前記突出要素（１１５；１１５Ａ；１１５Ｂ；１１５Ｃ；１１５Ｄ；１１５Ｅ；１１５Ｆ；１１５Ｇ）は寸法を有し、特定の所望の周波数帯域について適合されたパターンで配置されていることを特徴とする装置。
【請求項３４】
請求項１〜３３のいずれか１項に記載の装置であって、
既存の解放可能な相互接続、例えば標準導波管フランジのために使用されるように適合されることを特徴とする装置。
【請求項３５】
請求項１〜３３のいずれか１項に記載の導波管構造の相互接続のための装置であって、
周期構造または準周期構造を有する１つの表面と、導波管フランジとを含むことを特徴とする装置。
【請求項３６】
導波管フランジ、または請求項１〜３５のいずれか１項に記載の導波管構造相互接続装置もしくは導波管フランジのための、複数の突出要素（１１５；１１５Ａ；１１５Ｂ；１１５Ｃ；１１５Ｄ；１１５Ｅ；１１５Ｆ；１１５Ｇ）を含む周期構造または準周期構造（１５；１５Ａ；１５Ｂ；１５Ｃ；１５Ｄ；１５Ｆ；１５Ｇ）、すなわちテクスチャ表面を含む表面構造であって、
周囲に前記周期構造または準周期構造（１５；１５Ａ；１５Ｂ；１５Ｃ；１５Ｄ；１５Ｆ；１５Ｇ）、すなわち前記テクスチャ表面が配置された導波管開口（３；３Ｂ；３Ｃ；３Ｄ；３Ｅ；３Ｆ；３Ｇ）を囲むように配置されたリムすなわち突条部（１５１、１５２；１５１Ｄ、１５２Ｄ；１５１Ｆ、１５２Ｆ；１５２Ｇ）を含み、
表面、リムすなわち突条部は、前記導波管開口（３；３Ｂ；３Ｃ；３Ｄ；３Ｅ；３Ｆ；３Ｇ）の前記広い、及び狭い辺を囲むように配置された長いリムすなわち突条部（１５１；１５１Ｄ；１５１Ｆ；１５１Ｇ）と、短いすなわち狭いリムすなわち突条部（１５２；１５２Ｄ；１５２Ｆ；１５２Ｇ）とを含み、
前記リムすなわち突条部（１５１、１５２；１５１Ｄ、１５２Ｄ；１５１Ｆ、１５２Ｆ、１５２Ｇ）の前記寸法、例えば厚さ及び長さ、及び前記突出要素（１１５；１１５Ａ；１１５Ｂ；１１５Ｃ；１１５Ｄ；１１５Ｅ；１１５Ｆ；１１５Ｇ）の前記寸法及び前記配置、すなわち前記パターンは、電気的性能を最適化するように互いに関して選択されるが、リムすなわち突条部、及び突出要素の必要とされる寸法、例えば厚さについての製造要件を考慮していることを特徴とする表面構造。
【請求項３７】
請求項３６に記載の構造であって、
前記短いまたは狭いリムすなわち突条部（１５２；１５２Ｄ；１５２Ｆ；１５２Ｇ）の前記壁厚は、２００〜４００μｍ、好ましくは４００μｍ未満であり、各長いまたは広い壁部（１５１Ｄ；１５１Ｅ；１５１Ｆ；１５１Ｇ）は、中央突条部またはプラットフォーム（１５１Ｄ'；１５１Ｅ'；１５１Ｆ'；１５１Ｇ'）と、その反対側の外側に設けられた２つの狭いリムすなわち突条部（１５１Ｄ''、１５１Ｄ''；１５１Ｅ''、１５１Ｅ''；１５１Ｆ''、１５１Ｆ''；１５１Ｇ''）を有する異なる部分を含み、
前記中央リムすなわち突条部（１５１Ｄ'；１５１Ｅ'；１５１Ｆ'；１５１Ｇ'）の前記壁厚は、約λｇ／４であることを特徴とする構造。
【請求項３８】
請求項３７に記載の構造であって、
前記中央リムすなわち突条部（１５１Ｄ'；１５１Ｅ'；１５１Ｆ'；１５１Ｇ'）の前記長さは、対象となる前記周波数帯域、例えば５０−７５ＧＨｚ、または任意の他の所望の周波数帯域内の漏れに関し、特に、短いまたは狭いリムすなわち突条部（１５２Ｄ；１５２Ｅ；１５２Ｆ；１５２Ｇ）の厚さに関連して最適化された性能を提供するように選択され、前記短いまたは狭いリムすなわち突条部（１５２Ｄ；１５２Ｅ；１５２Ｆ；１５２Ｇ）の前記厚さが大きいほど、前記中央リムすなわち突条部（１５１Ｄ'；１５１Ｅ'；１５１Ｆ'；１５１Ｇ'）の前記長さＬが短くなることを特徴とする構造。
【請求項３９】
請求項３８に記載の構造であって、
前記周期構造または準周期構造の前記突出要素は、前記導波管開口の周囲に１〜４列、またはそれより多くの列、特に１〜２列で配置されることを特徴とする構造。
【発明の詳細な説明】
【技術分野】
【０００１】
本発明は、請求項１の前半部分の特徴を有する導波管構造の相互接続のための装置に関する。本発明は、高周波数領域または非常に高い周波数領域、例えば３０ＧＨｚ、または３００ＧＨｚより高い周波数領域において使用するための装置に関するが、３０ＧＨｚより低い周波数領域において使用するための装置についても同様である。
【０００２】
本発明はまた、請求項３６の前半部分による、相互接続導波管構造のための装置の構造に関する。
【背景技術】
【０００３】
マイクロ波またはミリ波回路、及び、例えばフィルタや増幅器などから、さらにより複雑な複合システムまでの様々な種類のデバイスの測定、及び／または解析のためだけでなく、他の目的のためにも、導波管構造は相互接続されることを必要とし、通常、いわゆる導波管フランジがトランジションとして使用される。導波管フランジ表面間の良好な導電性接触への要求は高い。導電性接触が非常に良好ではない限り、特に高い周波数において、電流はフランジ間を流れ、回路の性能を下げる漏れ、ミスマッチ、及びロスをもたらし、測定及び調整では不正確な結果を生じさせる。良好な導電性の、電気的接触を保証するためには、導波管フランジは互いに緊密かつ均一に接続されることが必要であり、例えば、導波管フランジは被試験デバイスまたは較正装置に緊密かつ均一に接続されなければならない。さらに、極めて良好な導波管の機械加工が、導波管フランジ間の良好な整列を保証するために必要とされる。これらは、特に数回の測定を行う必要がある場合には困難で時間のかかる作業であり、不正確に接続されたシステムをもたらす可能性がある。
【０００４】
非特許文献１では、ピンのむしろ（bed of pins）によって実現され、１９０〜３２０ＧＨｚの間で動く導波管フランジが提案されている。ピン構造またはテクスチャ表面を有するこのフランジは、製造及び取付けを容易にする標準導波管へ接続する場合、導電性接触を必要としない。ねじを非常にきつく締める必要はなく、標準導波管フランジのように、良好な電気的接触の保証を必要としない。しかしながら、たとえねじを堅く締めることについての必要性が減少しても、導波管フランジを接続するためにねじを固定する作業は依然として難しく時間がかかり、取り外し時にねじを緩め、除去することも同様に時間がかかることは短所である。
【０００５】
非特許文献２では、漏れを防ぐために２つのフランジの間に配置されるべき両面ピンフランジギャップアダプタが開示されている。電気的接触は必要ないが、機械的接触は依然として必要であるということが欠点である。機械的接触は、他の既知の装置のようにねじによって保証され、ねじをきつく締めすぎると、アダプタが簡単に破壊される可能性があるか、または傷つきやすいフランジ表面にピン跡をもたらし、その後壊れる可能性があることが欠点である。
【０００６】
したがって、前述の通り、以下に限定するものではないが、特に高周波数、例えば約１０ＧＨｚから、または特に３０ＧＨｚから約１ＴＨｚまでの場合、２つの導波管フランジを接続するときに、例えば良好な較正または信頼できる測定を可能にする高品質、再現可能で非放射性のインタフェース、及びロスの少ない相互接続を得るため、フランジ間に高品質の機械的及び電気的接触の両方、または少なくとも機械的接触が必要である。
【０００７】
しかしながら、前述のフランジまたはアダプタは、例えば６０ＧＨｚ、または広帯域である５０−７５ＧＨｚでの製造及び動作には適していないことが示されている。実際に、Ｖバンドフランジに適した設計が無いことは問題である。
【０００８】
さらに、例えば典型的な較正手順において、オペレータは、較正標準のフランジと、ＶＮＡ、すなわちベクトル・ネットワークアナライザのポートとを複数回接続しなければならない。これは、すべての接合フランジ間を良好に接触させるのに必要な全てのねじのために、非常に時間がかかり、複雑で退屈な作業である。これには、機械的及び電気的の両方、または少なくとも機械的な、安定した再現可能な接触を必要とし、したがって常に４本のねじが使用されなければならないが、時間がかかり退屈な作業のため、時には、例えば良好な電気的接触を確実にするために必要なねじの数、例えば４本のうち２本だけが実際に締められる。接続が完璧でない場合、例えば、わずかな角変位がある場合、または完全な嵌合がなされていない場合、導波管から自由空間への漏れが生じ、接続部での反射が増加する可能性がある。較正手順、及び測定手順は、可能な限り完全なすべてのこのような接続に基づいている。
【０００９】
したがって、上述の解決策を介して、導波管構造間または導波管フランジ間の導電性または電気的接触の必要性は取り除かれるが、導波管構造相互接続装置が関係している限り、依然として改良の必要がある。また、異なる周波数帯域及び他の周波数帯域に適した装置及び構造を提供する必要もある。
【先行技術文献】
【特許文献】
【００１０】
【特許文献１】国際出願第ＰＣＴ／ＳＥ２０１６／０５０２７７号
【特許文献２】欧州特許第１５１８６６６６．２号明細書
【非特許文献】
【００１１】
【非特許文献１】E. Pucci, P.-S. Kildal, "Contactless Non-Leaking waveguide flange Realized by Bed of Nails for millimetre wave Applications", 6th European Conference on Antennas and Propagation (EUCAP), pp.3533-3536, Prague, March 2012
【非特許文献２】S. Rahiminejad, E. Pucci, V. Vassilev, P.-S. Kildal, S. Haasl, P. Enoksson, "Polymer Gap adapter for contactless, Robust, and fast Measurements at 220-325 GHz", Journal of Microelectromechanical Systems, Vol.25, No.1, February 2016
【非特許文献３】P.-S. Kildal, E. Alfonso, A. Valero-Nogueira, E. Rajo-Iglesias, "Local metamaterial-based waveguides in gaps between parallel metal plates", IEEE Antennas and Wireless Propagation letters (AWPL), Volume 8,  pp. 84-87, 2009
【非特許文献４】E. Rajo-Iglesias, P.-S. Kildal, "Numerical studies of bandwidth of parallel plate cut-off realized by bed of nails, corrugations and mushroom-type EBG for use in gap waveguides", IET Microwaves, Antennas & Propagation, Vol. 5, No 3, pp. 282-289, March 2011
【非特許文献５】Per-Simon Kildal, "Waveguides and transmission lines in gaps between parallel conducting surfaces", patent application No. PCT/EP2009/057743, 22 June 2009
【非特許文献６】P.-S. Kildal, "Contactless flanges and shielded probes"
【発明の概要】
【発明が解決しようとする課題】
【００１２】
したがって、本発明の目的は、上述の問題の１つ以上を克服することができる導波管構造の相互接続のための装置を提供することである。
【００１３】
特に、使用及び操作が容易な、導波管構造の相互接続のための装置の提供をすることが目的である。
【００１４】
導波管フランジの接合／取り外しのための操作である、ねじ止め及びねじ外しなどによる相互接続は最小限の、迅速かつ確かな方法での相互接続を可能にし、例えばマイクロ波もしくはミリ波の回路またはデバイスの解析、較正、または測定のために相互接続を容易化する、導波管構造の相互接続のための装置を提供することも目的である。
【００１５】
具体的には、相互接続された導波管構造間、例えば導波管フランジ間の非整列または漏れによる任意の性能低下のリスク、すなわち測定エラーまたは較正エラー無しに、例えば１０ＧＨｚ、または特に３０ＧＨｚより高い高周波数だけでなく、より低い周波数についても使用可能である導波管構造の相互接続のための装置を提供することが目的である。
【００１６】
具体的には、異なる、かつ更なる周波数帯域、最も具体的には５０−７５ＧＨｚの周波数帯域、例えば６０ＧＨｚの周波数帯域、さらにより具体的にはＶバンドフランジの相互接続のための周波数帯域、に適した装置及び構造のそれぞれを提供することが目的である。
【００１７】
特に、製造が容易で安価な導波管構造の相互接続のための装置を提供することが目的である。
【００１８】
導波管構造の相互接続及び取り外しを容易にする装置を提供することが一般的な目的である。
【００１９】
また、堅牢であり、異なる周波数帯域、すなわち所望の周波数帯域とは無関係の周波数帯域のための製造に適した相互接続装置及び表面構造を提供することも目的である。
【００２０】
別の目的は、異なる所望の周波数帯域における操作のために、導波管構造の相互接続を実施可能にする柔軟な解決策を提供することである。
【００２１】
最も具体的な目的は、例えば、異なる標準導波管寸法（ＷＲ１５、ＷＲ１２...ＷＲ３など）と、対応する標準導波管フランジ寸法とに関連した高周波数及び低周波数のための、及び、異なる広い周波数帯域のための測定システムにおいて、相互接続のために使用されるのに適した導波管構造の相互接続のための装置を提供することである。
【００２２】
具体的な目的は、標準導波管フランジの相互接続のために使用可能な相互接続装置を提供することである。
【００２３】
さらなる具体的な目的は、既存の較正標準が使用可能であり、かつ接続／取り外しを以前より容易かつ迅速に行うことができるような方法で、解析または測定機器を導波管較正標準または被試験デバイスに接続するための相互接続装置を提供することである。
【課題を解決するための手段】
【００２４】
したがって、請求項１の特徴を有する、冒頭で参照された相互接続装置が提供される。
【００２５】
請求項３６の特徴を有する、冒頭で参照された相互接続装置において使用するための構造も提供される。
【００２６】
有利な実施形態は、それぞれ他の従属請求項に記載された特徴を有する。
【００２７】
以下に本発明を非限定的な実施形態を示す添付の図面を参照してさらに説明する。
【図面の簡単な説明】
【００２８】
【図１】本発明の第１の実施形態によるフランジアダプタ要素を含む導波管構造の相互接続装置を示す図。
【図２】導波管フランジに接続された図１のフランジアダプタ要素を示す図。
【図３Ａ】２つの導波管フランジの間の位置に、相互接続のために配置された図１のフランジアダプタ要素を示す図。
【図３Ｂ】図３Ａに示された２つの導波管フランジの間に位置し、２つの導波管フランジを相互接続するための図１のフランジアダプタ要素を示す図であり、相互接続要素は導波管フランジに取り付けられた磁性頭部を有するねじを含む。
【図３Ｃ】２つの導波管フランジの間に配置されて２つの導波管フランジを相互接続する、すなわち導波管構造が相互接続された状態における図１のフランジアダプタ要素を示す図。
【図４】相互接続要素のための、２つの整列ピン及びねじ穴をそれぞれが有する２つの導波管フランジの斜視図。
【図５Ａ】導波管フランジに固定的に接続されるように適合されたフランジアダプタ要素、及び該フランジアダプタ構成要素が接続された導波管フランジの代替実施形態を示す図。
【図５Ｂ】別の導波管フランジとの相互接続のための位置における、図５Ａの導波管フランジに接続されたフランジアダプタ要素を示す図。
【図６Ａ】ギャップ構造におけるすべてのテクスチャの半分の高さに一致する高さを有する突出要素を含む、フランジアダプタ要素の別の実施形態の斜視図。
【図６Ｂ】図６Ａに示されたフランジアダプタ要素の上面図（正面図とも呼ばれる）。
【図６Ｃ】図６Ａのフランジアダプタ要素の側面図。
【図７Ａ】２つの導波管フランジを相互接続する、図６Ａに示された周期構造または準周期構造が提供された２つのフランジアダプタ要素を含む相互接続装置の斜視図。
【図７Ｂ】相互接続されていない状態における図７Ａの斜視図。
【図７Ｃ】相互接続されていない状態における、図７Ａで示された装置の側面図。
【図７Ｄ】相互接続された状態における、図７Ａで示された装置の垂直断面図。
【図８Ａ】導波管開口の周囲に楕円形のパターンを形成するように配置され、周期構造または準周期構造を形成する溝及び突条を含むフランジアダプタ要素の別の実施形態を示す図。
【図８Ｂ】図８Ａのフランジアダプタ要素の正面図。
【図９Ａ】２つの導波管フランジを相互接続する、図８Ａに示された楕円形に配置された溝及び突条を含む周期構造または準周期構造が提供されたフランジアダプタ要素の斜視図。
【図９Ｂ】相互接続されていない状態における、図９Ａに示された相互接続装置及び導波管フランジの斜視図。
【図１０Ａ】本発明による、フランジアダプタ要素または導波管フランジの周期構造または準周期構造を含む例示的な構造を示す斜視図。
【図１０Ｂ】図１０Ａの例示的な周期構造または準周期構造の上面図。
【図１１】本発明による、片面のフランジアダプタまたは導波管フランジの代替的な構造を示す概略斜視図。
【図１２】図１１に示された構造を有する、例示的な背中合わせのフランジアダプタ要素を示す概略斜視図。
【図１３Ａ】本発明による、背中合わせのフランジアダプタ要素の構造の代替実施形態を示す概略斜視図。
【図１３Ｂ】図１３Ａに示されたフランジアダプタ要素構造の概略正面（上面）図。
【図１４Ａ】図１３Ａに示された周期構造または準周期構造、すなわちテクスチャを有する背中合わせのフランジアダプタ要素の概略斜視図。
【図１４Ｂ】図１４Ａのフランジアダプタ要素の正面図。
【図１５Ａ】代替実施形態による、４つの相互接続要素を示す斜視図。
【図１５Ｂ】図１５Ａの相互接続要素の上面図。
【図１５Ｃ】図１５Ａの相互接続要素の側面図。
【図１６Ａ】図１５Ａの相互接続要素が接続されているが、整列ピンを有していない導波管フランジの斜視図。
【図１６Ｂ】図１４Ａに示された相互接続要素によって導波管フランジに接続されたフランジアダプタ要素の斜視図。
【発明を実施するための形態】
【００２９】
図１は、本発明による導波管構造相互接続装置の第１の実施形態を示す。導波管構造相互接続装置は、ここでは２つの導波管フランジ（１０、２０）の間に配置されるように適合されたフランジアダプタ要素を含む（例えば図２、３Ａ参照）。フランジアダプタ要素１００は、ここでは、導電性表面に配置されてフランジアダプタ要素１００の１つの側面上に周期的または準周期的構造（テクスチャ表面１５）を形成する複数の突出要素１１５、例えばピンを含むテクスチャ表面１５（周期的または準周期的構造とも示される）を有する導波管フランジ要素を含む。２つの長い金属リムすなわち突条部（１５１、１５１）が導波管開口３のそれぞれの長い、すなわち広い辺上に設けられ、かつ、２つの短い金属リムすなわち突条部（１５２、１５２）が導波管開口３の短い、すなわち狭い辺上に設けられるように、周期的構造または準周期的構造（テクスチャ表面１５）は、突条とも呼ばれる金属リム部またはフレーム表面が設けられる断面上に、フランジアダプタ要素内の貫通導波管の矩形の導波管開口３を囲むように配置される。リムすなわち突条部（１５１、１５２）の高さは、周期構造または準周期構造（テクスチャ表面１５）の突出要素１１５の高さと実質的に同一である。より長いリムすなわち突条部（１５１、１５１）は、例えば、約λｇ／４の幅を有していてもよく、λは導波管構造内の波長（図１などには縮尺通りに示されない）、すなわち例えば約４００μｍであり、これにより、フランジアダプタ要素１００が相互接続されるべき対向する平滑な導波管フランジと共に、開放回路を短絡回路に変換し、フランジアダプタ要素と、該フランジアダプタ要素が接続されるべき導波管フランジ（図３Ａの導波管フランジ２０を参照されたい）との間のインタフェースに発生し得る漏れ及び反射を回避するインピーダンス変換器を形成する。
【００３０】
フランジアダプタ要素１００は、以下にさらに説明するように、従来の平滑な導波管フランジ（図２、３Ａを参照）を有する２つの導波管構造、またはアンテナ、フィルタ、レシーバなどの構成要素（１０、２０）の間に相互接続を提供するように適合される。保護または支持要素１０５、例えば外側リムは、周期構造または準周期構造、すなわちテクスチャ表面１５を囲むように配置される。前記保護または支持要素１０５の目的は、相互接続または固定要素が相互接続されるべき導波管フランジに対してテクスチャ表面１５を押しつけると、圧力が前記保護または支持要素１０５に加わり、周期構造または準周期構造の突出要素１１５が保護されることを確実にする、保護的距離要素の機能を果たすことである。さらに、保護または支持要素１０５が突出要素１１５の外端を越えたわずかな距離だけ突出するように配置されるため、ギャップの存在が保証され、テクスチャ表面は、相互接続されると、相互接続導波管フランジのテクスチャ表面、及び／または平滑な表面に損傷または破壊をもたらし得る、対向する導波管フランジとの直接的な機械的接触を妨げられる。フランジアダプタ要素１００は、図示の実施形態では４つである複数の整列ピン受け孔１０１を含み、それぞれの整列ピン受け孔１０１は、テクスチャ表面１５が位置するフランジアダプタ要素１００の中央構造１７０から突出するそれぞれのウイングすなわちフランジ部上に、突出要素１１５の伸長方向に垂直な方向で配置される。整列ピン受け孔１０１は、導波管フランジと、フランジアダプタ要素とが適切に整列されることを確実にするように、フランジアダプタ要素１００に接続されるべき導波管フランジの整列ピン（例えば、図３Ａ参照）を受容するために適合されるよう役立ち、したがって導波管フランジ（１０、２０）はフランジアダプタ要素１００を介して相互接続される。特に、フランジアダプタ要素は整列ピン上を摺動することができる。
【００３１】
２つのそれぞれの、反対側の突出したウイングすなわちフランジ部の対の間に、貫通凹部（Ｕ字型凹部１０２）が、テクスチャ表面１５と垂直なフランジアダプタ側壁によって形成され、該フランジアダプタ側壁は、導波管短壁である突条１５２の外側に配置されたそれぞれの面のテクスチャ表面１５の外側の中央領域に向かってテーパ状をなす。凹部は、ここでは実質的にＵ字形であり、実質的に直線の部分はＵ字形の脚を相互接続し、かつ、導波管開口３の長辺と実質的に並行に延在する位置で、テクスチャ表面の外側に配置される。くびれ型凹部１０３及びＵ字型凹部１０２は、相互接続要素（ねじ１２）（例えば図２参照）がその中に配置されること、例えば、それぞれの導波管フランジ（１０、２０）、例えば標準導波管フランジの表面に接続されることを可能にするような形状であり、そのような寸法を有するが、フランジアダプタ要素１００のウイングすなわちフランジ部の外周の外側壁は、それぞれの導波管フランジの外周の、周囲の側壁に一致するような形状であり、そのような寸法を有する。くびれ凹部、及びＵ字形凹部の位置は、標準導波管フランジ内の固定ねじ孔が位置する場所に一致するように選択されることが好ましい。
【００３２】
フランジアダプタ要素１００は、真鍮、銅、アルミニウム、または良好な導電性、低い抵抗性、及び適切な比重を有する任意の他の適切な材料で製造された固体部分を含むことが好ましい。例えば、さらなる腐食防止が必要とされる環境では、金または銀などでメッキされてもよい。他の材料、例えば任意の適切な合金も使用され得ることは明らかである。フランジアダプタ要素１００はまた、適切なプラスチック／ポリマー化合物から製造されてもよく、銅、金、または銀によってメッキされてもよい。
【００３３】
図示の実施形態におけるフランジアダプタ要素１００は、その中央部の、標準的な矩形の導波管開口３の周囲にテクスチャ表面１５とも示される周期構造または準周期構造が配置されるフランジ要素を含む。代替実施形態において、フランジアダプタ要素は、例えば２つの導波管フランジ、導波管フランジ及びアンテナまたは他のデバイス、較正装置の導波管フランジ、ＤＵＴ（被試験デバイス）などの間で接続されることを可能にする任意の他の適切な形状を有し得ることは明らかである。異なる実施形態では、別個のフランジアダプタ要素として提供されてもよく、他の実施形態では、導波管フランジに固定的に接続されるように適合されてもよく（例えば図５Ａ参照）、または、さらに他の実施形態では、別のフランジアダプタ要素に接続されるように適合されてもよい（例えば、図６Ａ参照）。フランジアダプタ要素は、導波管フランジを形成してもよい。
【００３４】
テクスチャ表面１５、すなわち周期構造または準周期構造は、例えば正方形の断面を有する複数の突出要素、例えばピン（突出要素１１５）を含む構造を含むことができるが、突出要素は、例えば図８Ａ−９Ｂに示されるように、例えば楕円形に配置された溝及び突条を含む、波形（コルゲート）構造を含む円形または矩形などの他の断面形状を有することもできる。コルゲートのための他の代替形状も可能である。
【００３５】
片面上の導波管フランジ２０の導電性の平滑なフランジ表面、すなわち平面と、他方の側面上の周期構造または準周期構造（テクスチャ表面１５）を有するフランジ表面との間への接続の提供を介して、２つの導波管（例えば、導波管、並びに測定対象の導波管または較正標準の導波管、導波管較正標準、及びＶＮＡ導波管ポートなど）は、電気的接触及び直接的な機械的接触を必要とせず接続されることが可能である。周期構造または準周期構造が、所望の導波管経路以外のすべての他の方向における２つのフランジ表面間のすべての種類の波動伝搬を妨げるため、２つの接続するフランジ表面の間の、例えば空気のギャップ３０（特に図７Ｄ参照）、またはガス、真空、もしくは少なくとも部分的に誘電材料で満たされたギャップの存在が可能となる。上述のように、周期構造または準周期構造、すなわちテクスチャ表面１５は、任意の方向におけるギャップ３０の内部の波の伝搬を妨げるように設計されるが、少なくとも意図された動作周波数帯域において、１つのフランジ表面における導波管開口から他方の導波管開口へのギャップを波が通過することが可能である。このように、周期構造または準周期構造の、例えばピン、ポスト、溝、突条などの形状及び寸法、並びに配置は、意図された方向以外の任意の他の方向の波の伝搬を防止するように選択される。
【００３６】
周期的なテクスチャ（構造）が設けられた２つの表面間の非伝搬特性すなわち非漏洩特性は、非特許文献３、及び非特許文献３の執筆者によるその後のいくつかの出版物に記載されている。非伝搬特性は、阻止帯域と呼ばれる特定の周波数帯域内にあらわれる。したがって、周期的なテクスチャ及びギャップサイズは、較正キットにおいて考慮される標準導波管の動作周波数帯域をカバーする阻止帯域が得られるように設計されなければならない。また、このような阻止帯域は、非特許文献４に記載のもののような他のタイプの周期的構造によっても提供され得ることも知られている。これらの阻止帯域特性はまた、非特許文献５に記載されているように、いわゆるギャップ導波路を形成するためにも使用される。
【００３７】
これまで使用されていた、またはギャップ導波路に使用される周期的または準周期的テクスチャのいずれも、本発明の導波管構造相互接続装置、フランジアダプタ要素またはフランジ構造に使用することができ、特許請求の範囲に含まれる点は強調しておく必要がある。
【００３８】
導波管のフランジを改良するために周期的なテクスチャを使用するアイデアは、非特許文献６から公知となっており、または２０１２年５月１５日出願の欧州特許出願第１２１６８１０６．８号の明細書にも記載されている。
【００３９】
本発明によれば、２つの表面、例えばフランジアダプタ要素またはフランジ要素のテクスチャ構造、すなわち周期的構造または準周期的構造のピンまたは突条などの遊端によって形成される平面、及び平滑な導波管フランジ、または別のテクスチャ表面は、送信信号の波長の４分の１を超えて離隔されてはならず、４分の１波長未満の間隔で離隔されなければならない。この点については、前述の非特許文献４に詳細に記載されている。
【００４０】
特定の実施形態における周期構造または準周期構造（テクスチャ表面１５）は、例えば０．１５λ×０．１５λの寸法、及び０．１５−０．２５λの高さを有する断面を有するピン（突出要素１１５）の配列を含む。
【００４１】
インタフェースの一方の側の導波管フランジ２０の平滑な導電性表面と、他方の側のテクスチャ表面１５とによって形成されるインタフェースにより、電力が、平滑な導電性表面及びテクスチャ表面の間、または２つのテクスチャ表面の間のギャップを通って漏れることが防止される（図６Ａ―７Ｄを参照して説明した特定の実施形態を参照）。望ましくない方向への伝搬は、周期構造または準周期構造の提供及び配置により、高インピーダンスによって妨げられる。
【００４２】
本発明によれば、周期的構造または準周期的構造（テクスチャ表面１５）を含む表面と、平滑な導電性表面を有する導波管フランジ２０との組み合わせ、またはそれぞれに周期的構造が設けられた２つの表面（例えば、前述の図７Ａ−７Ｄ参照）を用いることによって、表面が電気的に接触していなくても導波管を接続することができ、また、保護リムまたは支持リム（支持要素１０５）を使用することによって、直接的な機械的接触、すなわち物理的接触が必要とされず、これにより、表面を相互接続するための、ねじなどによる堅い締結の必要性がなくなり、フランジ表面が保護される。
【００４３】
特に、テクスチャは、２つの接合フランジ間に波の漏れのための阻止帯域を提供するように設計され、テクスチャ加工されたフランジ表面と対向するフランジ表面との間に小さなギャップが存在しても、１つのフランジの導波管開口から接合するフランジの導波管開口へ通過する波は影響を受けず、接合部からの伝送及び反射は、従来の導波管フランジが非常に堅く締められたねじによって共に接合され、非常に堅く相互接続されたときの伝達及び反射に非常に近い。前述のように、テクスチャは、低漏洩、並びに、２つの接合する導波管の間の小さなギャップによって引き起こされる途切れの存在によって減少した伝送係数の改善及び向上、及び、２つの接合する導波管の間の小さなギャップによって引き起こされる途切れの存在によって増加した反射係数の減少、の観点で良好な性能を提供するように最適化されたパターンで導波管開口の周囲に配置されたピン、突条、または溝などによって作られ得る。
【００４４】
本出願と同一の出願人によって２０１５年４月４日に出願され、スウェーデン特許出願第１５５０４１２−９号による優先権を主張し、参照によりその内容が本明細書に組み込まれる特許文献１は、解析機器または測定機器を導波管較正基準または被試験デバイスに接続するための装置、及びマイクロ波回路またはデバイスを解析または測定するためのツールまたは機器のための較正装置を示す。該較正装置は、２つの接合する導波管フランジの間に配置されるべき、導波管開口を有するディスクまたはプレートの形態の較正コネクタ要素を内部に含み、２つの導波管フランジ間の非接触の接続を可能にするが、それらの１つは解析機器または測定機器、例えばベクトル・ネットワークアナライザ（ＶＮＡ）のポートであり、他方は導波管較正標準または被試験デバイスである。較正コネクタ要素は、その各々の側に１つの表面、すなわち２つの表面を含み、各表面が、第１及び第２の周期構造または準周期構造を形成する導波管開口の周囲に周期構造または準周期構造を有する。構成コネクタ要素は、その各表面で、周期構造または準周期構造と、対応するフランジの平滑な表面との間にギャップが形成されるように２つの導波管フランジの間を接続可能であり、したがって、解析機器または測定機器、例えばＶＮＡの導波管と、導波管ポートを含む導波管較正標準または被試験デバイスとの互換性を有する非接触の相互接続を可能にする。
【００４５】
図２は、第１の導波管構造１の導波管フランジ１０に接続された図１のフランジアダプタ要素１００を示す。導波管フランジ１０は、ここでは標準的導波管フランジ、例えばＶバンドフランジ、ＷＲ１５フランジ、または任意の他の標準導波管フランジである。そのような標準的な導波管フランジ１０は、通常、整列ピンを受容するための、図２では見えない４つの整列ピン受け孔１１０（図３Ａ参照）と、締結ねじを受容するように適合された４つのねじ孔１２０とを含む。本発明によるフランジアダプタ要素１００は、標準的な導波管フランジ１０の、２つのそれぞれの、対向して配置された整列ピン受け孔１１０に差し込まれる整列ピンと、フランジアダプタ要素１００のウイング部の対応する整列ピン受け孔１０１とによって、標準的な導波管フランジ１０に解放可能に接続され、整列され、標準的な導波管フランジ１０に関して摺動可能である。磁石（ねじ頭部１３）を有する頭部を有するねじの形態の相互接続要素（ねじ１２）は、以下では磁性を有するねじ頭部、すなわち、ねじ頭部上の磁性要素として単に示され、標準的な導波管フランジ１０のねじ孔１２０内に差し込まれ、フランジアダプタ要素１００の貫通凹部、すなわちくびれ１０３及びＵ字型凹部１０２は、ねじ頭部１３の受容を可能にするように配置され、ねじ頭部１３の受容を可能にするようなサイズを有する。それぞれのねじ１２の頭部の高さは、フランジアダプタ要素１００の厚さの半分に実質的に対応する。いくつかの実施形態では、磁性要素は、接着剤、または以下にさらに説明する任意の他の適切な手段によって、ねじ頭部の平滑な表面に固定される小さな要素を含む。ねじ頭部は、磁性頭部を含んでいてもよい。図１を参照して既に説明した、図２に示される要素は、図２を参照してさらに説明しない。
【００４６】
図３Ａは、図１、２を参照して説明したように、フランジアダプタ要素１００によって相互接続されるための位置における、２つの標準的な導波管フランジ（１０、２０）を含む２つの導波管構造（１、２）を示す。フランジアダプタ要素１００、及び第１の標準的な導波管フランジ１０は、図１、２を参照して既に説明されており、したがって、本明細書ではさらに説明しない。第２の標準導波管フランジは、第１の標準導波管フランジと同様の実施形態において示され、４つの整列ピン孔２１０と４つの固定要素またはねじ孔２２０とを含む。２つの整列ピン１１１は、第１の標準的な導波管フランジ１０及びフランジアダプタ要素１００の２つの対応する整列ピン孔（１０１、１０１）及び整列ピン孔（１１０、１１０）に差し込まれる場所にそれぞれ位置する。導波管フランジ１０とフランジアダプタ要素１００との整列に使用されるそれぞれのピン孔は対向して配置され、フランジアダプタ要素１００の残りの２つの整列ピン孔（１０１、１０１）は、他端が第２の導波管フランジ２０の対応する整列ピン孔（２１０、２１０）に受けられることが意図された、２つのさらなる整列ピン１１１の受容のために使用される。磁性頭部（ねじ頭部１３）を有する４つのねじ１２は、第１の導波管フランジ１０の４つのねじ孔１２０に差し込まれるための位置にあり、磁性頭部２３を有する４つの他のねじ２２は、第２の導波管フランジ２０の４つのねじ孔２２０に差し込まれるための位置にある。磁性頭部（１３、２３）を有するねじ（１２、２２）は、スナップ式のような操作によって相互接続が達成されるように配置され、第１及び第２の導波管フランジ（１０、２０）の間のフランジアダプタ要素をクランプする。フランジアダプタ要素１００は、接合するフランジがギャップを介して互いに関連して移動可能であり、特定の実施形態では阻止帯域に関して集中させる必要のない整列ピン１１１上を摺動可能であることが有利である。一実施形態では、磁性要素（１３、２３）は、強力な永久磁石であるネオジム磁石（ＮｄＦｅＢ）を含む。当然のことながら、同様な特性を有する他の磁性材料を使用してもよく、これは単に例としてみなされる。表面は、例えばニッケルメッキまたはいくつかの他の適切な材料でメッキされてもよい。いくつかの実施形態では、導波管フランジの固定のために使用される従来のねじのねじ頭が、小さな永久磁石によって提供される。
【００４７】
フランジアダプタ要素は特に、堅く、信号の流れに影響を及ぼさないために一体で作られる。要素は、例えば成形、鋳造、アブレーション、マイクロアセンブリングなどの材料アセンブリングによって製造されてもよく、カッティングは別の方法である。
【００４８】
図３Ｂは、図３Ａのようにフランジアダプタ要素１００によって相互接続されている位置における２つの標準導波管フランジを含むが、相互接続要素であるねじ（１２、２２）は第１及び第２の導波管フランジ（１０、２０）のねじ孔（１２０、２２０）に差し込まれている、２つの導波管構造（１、２）を示す。導波管フランジ（１０、２０）が凹部、すなわちここではＵ字型凹部１０２及びくびれ型凹部１０３、に配置されるねじ（１２、２２）を有するフランジアダプタ要素１００と接触すると、導波管フランジは互いに向かって押し付けられ、磁性ねじ頭部（１３、２３）間の磁性力によって接合または相互接続される。整列ピン１１１により、位置は正確になる。したがって、相互接続はスナップ操作のような容易な方法で行われる。ねじは依然として必要であるが、例えば予め導波管フランジ（１０、２０）のねじ孔に差し込むか、または適合させることが容易に可能である。また、任意のねじをきつく締める必要もない。一度ねじが導波管フランジに適合され、フランジアダプタ要素１００の対向する位置にもたらされると、アセンブリを取り扱う人員の特別な技術を必要とすることなく、ほぼ自動の方法で相互接続が行われる。これにより、導波管構造または導波管フランジの相互接続（接合）、取り外し、交換は著しく容易となり、高精度で、対向するフランジのテクスチャ表面または平滑な表面を破壊する恐れをもたらす強い力を用いることなく、容易かつ迅速な方法で行われ得る。
【００４９】
図３Ｃにおいて、第１及び第２の導波管フランジ（１０、２０）の状態は、フランジアダプタ要素１００の介在によって相互接続または接合され、相互接続しているねじ（１２、２２）の磁性頭部（１３、２３）によって共に保持され、上述の整列ピン１１１によって整列されている。周期構造または準周期構造（テクスチャ表面１５）と第２の導波管フランジ２０の平滑表面との間のわずかなギャップは、第２の導波管フランジ２０の平滑表面と接触する保護または支持要素１０５（図１参照）の存在により、図３Ｃでは見えない。
【００５０】
図４は、２つのそれぞれの整列ピン孔（１１０、２１０）に差し込まれた２つの整列ピン１１１をそれぞれ有する、第１及び第２の導波管フランジ（１０、２０）を示すための概略図である。図示のように、各導波管フランジの２つの直径方向に配置された整列ピン孔が使用され、異なる位置を有する整列ピン孔は、フランジアダプタ要素によって相互接続されると、フランジアダプタ要素１００のすべての４つの孔に反して、導波管フランジ（１０、２０）の整列ピン孔の各２つだけが使用されるように、第１及び第２の導波管フランジ（１０、２０）に使用される。他の点では、図４に示された要素は、前述の図を参照して既に説明された。
【００５１】
図５Ａは、ここでは導波管フランジ１０Ａ、例えば標準的な導波管フランジ１０Ａに固定的または開放可能に接続されるように適合されたフランジアダプタ要素１００Ａを含む、導波管構造相互接続装置の代替実施形態を示す。導波管構造相互接続装置は、フランジアダプタ要素１００Ａへと向かう方向で導波管フランジ１０Ａに差し込まれた固定ねじ１７によって導波管フランジ１０Ａに固定される。フランジアダプタ要素１００Ａは、図１−４を参照して説明されるように、フランジアダプタ要素本体１４０Ａを実質的に含むが、フランジアダプタ要素本体１４０Ａは、好ましくは導波管フランジ１０Ａと同一の断面を有し、従来の固定ねじ１７によって固定的に（または解放可能に）接続されることを可能にする厚さを有するフランジアダプタ支持要素１４５Ａと一体的であるか、フランジアダプタ支持要素１４５Ａと一体に製造されるか、フランジアダプタ支持要素１４５Ａに接続される。あるいは、フランジアダプタ要素１００Ａは、任意の他の適切な方法で導波管フランジ１０Ａに接続されることが可能であり、いくつかの代替実施形態では導波管フランジ１０Ａに接着剤で付けられてもよい。貫通凹部（１０２Ａ、１０３Ａ）（ここでは、例えば図１及び図３を参照して説明された対応する部分（１０２、１０３）と同様である）内、かつ、例えば図１を参照して説明するように、フランジアダプタ要素に対応してフランジアダプタ要素１００Ａの一部が提供されるフランジアダプタ支持要素１４５Ａの表面上に、磁性要素１３Ａが設けられる。図示の実施形態では、磁性要素１３Ａは、フランジアダプタ支持要素１４５Ａの外側表面から突出しないように、フランジアダプタ支持要素１４５Ａに設計された凹部内に固定的に取り付けられ、すなわち、それによって接触する。
【００５２】
例えば図３Ａ−３Ｄを参照して説明するように、第２の導波管フランジ（図５Ｂ参照）に相互接続するために、図３Ａ−３Ｄを参照して説明された実施形態のような磁性頭部を有するどちらかのねじは、相互接続を可能とすべく、およそ２倍の厚みを有する頭部を有する必要がある、または、フランジアダプタ要素本体１４０Ａは、フランジアダプタ要素本体１４０Ａがより薄くなるように、例えば図１におけるフランジアダプタ要素１００の厚さの約半分の厚さを有する必要がある。さらに他の実施形態（図示せず）では、磁性要素１３Ａは、例えば、フランジアダプタ支持要素１４５Ａの表面上の肩部などに配置されたフランジアダプタ要素本体１４０Ａの約半分の高さに位置するように配置される。さらなる磁性要素は、上述のように、磁性ねじ頭部と実質的に対応する高さを有していてもよく、または、そのような高さを実質的に有する取付要素に提供される磁性表面を含んでいてもよい。多くの変形が可能である。
【００５３】
図５Ｂは、図３Ａ−３Ｄを参照して説明したように、平滑表面を有する第２の導波管フランジ２０Ａと相互接続されるための位置における第１の導波管フランジ１０Ａ上に取付けられた図５Ａのフランジアダプタ要素１００Ａを示す。第２の導波管フランジ２０Ａへの相互接続または接合までの機能は、図３Ａ−３Ｄを参照して説明した機能に対応するため、本明細書ではさらに説明しない。
【００５４】
フランジアダプタが、例えばねじによって導波管フランジに固定可能であり、フランジアダプタが決まった場所に保たれ、失われる恐れが無く、落下しないことなどが有利である。
【００５５】
図６Ａは、導波管構造相互接続装置のさらに別の実施形態を示す。導波管構造相互接続装置は、ここでは２つのフランジアダプタ要素（１００Ｂ１、１００Ｂ２）を含む。図６Ａ−７Ｄに示される実施形態では、２つのフランジアダプタ要素（１００Ｂ１、１００Ｂ２）は同様であり、したがって、図６Ａ−６Ｃを参照し、１つの要素のみが示され、説明される。フランジアダプタ要素（１００Ｂ１、１００Ｂ２）は、導波管フランジ（１０Ｂ、２０Ｂ）の間に配置されるように適合され、固定的または着脱可能に、各導波管フランジ（１０Ｂ、２０Ｂ）に接続される（図７Ａ参照）。フランジアダプタ要素１００Ｂ１は、前述の実施形態を参照して説明したように、フランジアダプタ要素１００Ｂ１の片面に周期構造または準周期構造を形成するために導電性表面上に配置された複数の突出要素１１５Ｂ、例えばピンを有する、テクスチャ表面１５Ｂを有する導波管フランジ要素を含む。周期構造または準周期構造（テクスチャ表面１５Ｂ）は、金属リムすなわち突条部（１５１Ｂ、１５２Ｂ）が設けられた側面の矩形の導波管開口３Ｂを囲むように配置される。２つの短いリムすなわち突条部（１５２Ｂ、１５２Ｂ）は、導波管開口の短いすなわち狭い辺に設けられる。導波管開口３Ｂのそれぞれの広いすなわち長い辺に、長い金属リムすなわち突条１５１Ｂが設けられる。図示の実施形態では、長いリムすなわち突条１５１Ｂは、実質的にλｇ／４である第１の壁厚ｄ１を有し、λｇは導波管構造における波長であり、長いリムすなわち突条１５１Ｂは、導波管の広いすなわち長い辺の、中央の、主要な部分に沿って延在し、導波管の広いまたは長い辺の一部であり、第２の壁厚ｄ２は導波管の長い辺の外側端部における幅であり、ｄ２はｄ１より小さい（図６参照）。厚さの異なる理由は、帯域内で共振を回避している広い周波数帯域をカバーする能力を向上させるためであり、例示的な構造がより完全に説明される図１１−１４Ｂも参照されたい。しかしながら、他の実施形態では、図１では縮尺通りではないが、例えば図１において示された壁厚と同一の壁厚を使用してもよい。他の代替も可能である。
【００５６】
フレームすなわちリム部（１５１Ｂ、１５２Ｂ）の高さは周期構造または準周期構造（テクスチャ表面１５Ｂ）の突出要素１１５Ｂの高さと実質的に同一である。
【００５７】
フランジアダプタ要素１００Ｂ１は、例えば第２の導波管フランジ２０Ｂに固定的または取り外し可能に接続可能な第２の同様のフランジアダプタ要素１００Ｂ２と接合または相互接続されることを可能にするために、例えば標準的な導波管フランジ１０Ｂ（図７Ａ、７Ｂ参照）に対して固定的または取り外し可能に接続可能であるように適合され、したがって、従来の平滑な導波管フランジを有する２つの導波管構造（１Ｂ、２Ｂ）の間に相互接続を提供する。
【００５８】
フランジアダプタ要素１００Ｂ１は、標準の矩形の導波管開口３Ｂの開口の周囲に配置された複数の突出要素１１５Ｂ、すなわちテクスチャ表面１５Ｂを含む周期構造または準周期構造が設けられた中央構造１７０Ｂを含む。この実施形態では、ピンまたは突出要素１１５Ｂはそれぞれ、所望の停止帯域を形成するために必要なピンまたは突出要素の全長の実質的に半分に対応する高さまたは長さを有する。全高は、テクスチャ表面が互いに面するように配置された２つのフランジアダプタ要素（１００Ｂ１、１００Ｂ２）によって形成され、全長は、各フランジアダプタ要素上に１つである２つの対応する突出要素（１１５Ｂ、１１５Ｂ）によって形成される（図７Ａ、７Ｂ参照）。
【００５９】
さらに他の代替実施形態では、異なる高さは、フランジアダプタ要素上のピンもしくは突出要素、または波形のセットのために使用される。さらなる他の実施形態では、ピンもしくは突出要素、または波形の長さまたは高さは、所望の阻止帯域のために必要な長さに対応する、互いに面して、または対向して配置されたピン、突出要素、または波形の全長の間で、それぞれのセット（図示せず）内で変化する。突出要素のそのように異なる装置は、同一出願人により２０１５年９月２４日に出願された特許文献２に開示されており、その内容は参照により本明細書に組み込まれ、その間にギャップを有した状態で配置された２つの導電層を含むマイクロ波デバイスを示す。層はそれぞれ、周期的または準周期的パターンで配置され、層に接続された相補的な突出要素のセットを含み、該突出要素のセットは、意図された導波管経路に沿った方向以外の他の方向の動作周波数帯域の波の伝搬を防止するために、テクスチャに対して組み合わせて配置される。突出要素の長さが同一であり、テクスチャの全長が各導電層に配置された２つの突出要素によって形成される場合、突出要素の長さはテクスチャの突出要素の全長の半分の長さに対応する。
【００６０】
一般に、本出願を通して、突出要素の全長の長さはおよそλ／４〜λ／２の間であり、いわゆる半分の長さの要素の高さは、実質的にλ／８〜λ／４の間であり、λは自由空間または誘電体媒質における波長である。
【００６１】
フランジアダプタ要素１００Ｂ１は、ここでは実質的に八角形の断面を有する中央構造１７０Ｂから４つの方向に延在する、２つ１組の対向するように方向付けられたウイング部（１７５Ｂ、１７５Ｂ、１７６Ｂ、１７６Ｂ）をさらに含む。それぞれのウイング部（１７５Ｂ、１７５Ｂ、１７６Ｂ、１７６Ｂ）は、導波管フランジへの接続（図７Ａ）、及び、第２の、すなわち他のフランジアダプタ要素１００Ｂ２を第２の導波管フランジ２０Ｂに接続するねじ２２Ｂの別の磁性頭部（すなわち、磁性要素を有するねじ頭部）２３Ｂとの磁性頭部１３Ｂを介した解放可能な相互接続のための、磁性頭部（すなわち、上述の磁性要素を有するねじ頭部）１３Ｂ（図７Ｂ参照）を有する相互接続ねじ１２Ｂを受容するように適合された孔１０２Ｂを有して提供される。ウイング部の厚さは、相互接続ねじ１２Ｂの頭部の高さと共に、突出要素１１５Ｂの長さまたは高さがわずかに上回り、それぞれのフランジアダプタ要素（１００Ｂ１、１００Ｂ２）上の互いに面した突出要素１１５Ｂ間にわずかな空気ギャップを残すような厚さである。
【００６２】
空気ギャップはλ／４より小さく、ここでは半分の長さの要素である突出要素１１５Ｂの高さは、例えば実質的にλ／８である。
【００６３】
図６Ｂは、図１において示されたフランジアダプタ要素１００Ｂ１の上面図または正面図であり、長いリムすなわち突条１５１Ｂの壁厚（ｄ１、ｄ２）を示す。
【００６４】
図６Ｃは、図１において示されたフランジアダプタ要素１００Ｂ１の側横断面図である。
【００６５】
代替実施形態では、図１を参照して開示した形状を有する突出ウイングまたはフランジ要素の対向する対は、協働するフランジアダプタ要素との相互接続のために、２つの突出要素間にわずかなギャップを保つが、磁性ねじ頭部のための場所を残すように、半分の高さの突出要素に対してより薄くなる必要があるか、または、完全な高さの突出要素を共に形成する、協働する突出要素の高さに依存して適合される必要があるという違いを有する。
【００６６】
図７Ａは、図６Ａ−６Ｃを参照して説明した２つのフランジアダプタ要素（１００Ｂ１、１００Ｂ２）によって相互接続された２つの導波管フランジ（１０Ｂ、２０Ｂ）を示す。異なる要素及び部分が既に上述されているため、図７Ａを参照してさらには説明しない。フランジギャップアダプタ間の距離、すなわち空気ギャップは、例えば約１００μｍであってもよい。
【００６７】
図７Ｂは、２つの導波管フランジ（１０Ｂ、２０Ｂ）を示す斜視図であり、それぞれのフランジアダプタ要素（１００Ｂ１、１００Ｂ２）は、上述の磁性頭部（１３Ｂ、２３Ｂ）、またはねじ頭部（１２Ｂ、２２Ｂ）上の磁性要素または部分を介して相互接続されるための位置において、ねじ（１２Ｂ、２２Ｂ）によって接続されている。
【００６８】
図７Ｃは、２つの導波管フランジ（１０Ｂ、２０Ｂ）を示す概略側面図であり、それぞれのフランジアダプタ要素（１００Ｂ１、１００Ｂ２）は、図７Ｂに示された磁性頭部（１３Ｂ、２３Ｂ）間の磁性引力によって相互接続されるための位置において、ねじ（１２Ｂ、２２Ｂ）によって接続されている。
【００６９】
図７Ｄは、２つの導波管フランジ（１０Ｂ、２０Ｂ）を示す概略側横断面図であり、それぞれのフランジアダプタ要素（１００Ｂ１、１００Ｂ２）は、図７Ａのように相互接続された状態においてねじ（１２Ｂ、２２Ｂ）によって接続され、フランジアダプタ要素（１００Ｂ１、１００Ｂ２）の周期構造または準周期構造（テクスチャ表面１５Ｂ）間のギャップ３０Ｂを示す。
【００７０】
半分の高さの突出要素を用いることによる特有の利点は、１つのタイプのフランジまたはフランジアダプタのみが、例えば、テクスチャフランジアダプタ要素の場合には、別個の要素として、相互接続に関与する２つの異なるタイプの代わりに必要とされるか、または、そのようなテクスチャを有する導波管フランジまたはフランジ、及び平滑な表面を有する導波管フランジに固定されるか、もしくはその一部を形成するという点である。したがって、雌雄のないフランジアダプタ要素または導波管フランジが提供され得る。
【００７１】
また、周期構造または準周期構造を形成する突出要素の、テクスチャ表面のパターンは、例えば図１を参照して示されたように異なっていてもよく、または図１における実施形態の構造が、図６Ａなどに示されるようなものであってもよいことも明らかである。任意の変形が可能であり、以下の図１０Ａ−１４Ｂを参照してさらに説明する。
【００７２】
フランジアダプタ要素１００Ｂは、好ましくは、真鍮、銅、アルミ、または、良好な導電性、低い抵抗率、及び適切な密度を有する任意の他の適切な材料によって製造される固い部分を含む。例えば、さらなる腐食保護が必要な環境では、例えば金または銀でメッキをしてもよい。例えば、任意の適切な合金、または、例えば銅、金または銀によってメッキをされたプラスチック／ポリマー化合物などの他の材料も使用可能であることは明らかである。
【００７３】
図８Ａは、さらに別の実施形態による導波管構造相互接続装置の斜視図であり、フランジアダプタ要素１００Ｃを含む。
【００７４】
図１を参照して説明された実施形態と同様に、フランジアダプタ要素１００Ｃは、２つの導波管フランジ（１０Ｃ、２０Ｃ）間に配置されるように適合される（図９Ａ、９Ｂ参照）。フランジアダプタ要素１００Ｃは、フランジアダプタ要素１００Ｃの片面上に周期構造または準周期構造を形成すべく、導電性表面上の導波管開口３Ｃの周囲に楕円形に配置された、例えば２、もしくは３、または、いくつかの場合にはそれより多い、複数の溝及び突条を含む複数の突出要素１１５Ｃをここでは有するテクスチャ表面１５Ｃを含む。溝（突出要素１１５Ｃ）の深さは、平滑表面を有する導波管フランジとの相互接続のための、図８Ａにおいて示された完全な高さの実施では約λ／４であり、図６Ａ−７Ｄを参照して説明された半分の高さの実施では約λ／８であるが、楕円形に配置された溝を含むテクスチャによって形成される（図示せず）。
【００７５】
フランジアダプタ要素１００Ｃは、従来の平滑な導波管フランジ（１０Ｃ、２０Ｃ）を有する２つの導波管構造間に相互接続または接合を提供するように適合される（図９Ａ、９Ｂ参照）。保護要素または支持要素１０５、例えばリムは、周期構造または準周期構造（テクスチャ表面１５Ｃ）、すなわちテクスチャ表面を囲むように配置され、溝の間の突出する突条の保護としての機能を果たし、相互接続要素または固定要素が、テクスチャ表面１５Ｃを相互接続されるべき導波管フランジに対して押し付けると、前記保護的な固体表面に圧力が働き、溝の間の突出要素１１５Ｃである突条、及び相互接続する平滑なフランジ表面が保護されることを確実にする距離要素としての機能を果たすと言える。保護要素または支持要素１０５Ｃは、突出要素の外側端部、ここでは突条の頂部を越えてわずかな距離を突出するように配置されるため、ギャップの存在は保証され、固定または相互接続されたとき、テクスチャ表面は対向する導波管フランジ２０Ｃ（図９Ａ、９Ｂ）と直接接触しない。
【００７６】
フランジアダプタ要素１００は、図示の実施形態では４つである、複数の整列ピン受け孔１０１Ｃを含み、該整列ピン受け孔１０１Ｃは、テクスチャ表面１５Ｃが位置するフランジアダプタ要素１００Ｃの中央構造１７０Ｃから突出するそれぞれのウイングすなわちフランジ部に、突出要素１１５Ｃの拡張方向と垂直な方向に設けられる。整列ピン受け孔１０１Ｃは、導波管フランジ（１０Ｃ、２０Ｃ）及びフランジアダプタ要素１００Ｃが適切に整列され、摺動を可能にすることを確実にするように、相互接続されるべき導波管フランジの整列ピンを受容するために適合されるという目的を達する。
【００７７】
２つそれぞれの、対向した突出ウイングすなわちフランジ部の対の間に、ここでは貫通凹部であるくびれ１０３Ｃが、テクスチャ表面１５Ｃに垂直なフランジアダプタ側壁によって形成され、導波管開口３Ｃの短い、すなわち狭い側壁の外側に配置されたそれぞれの面のテクスチャ表面１５Ｃの外側の中央領域に向かってテーパ状を有する。２つのそれぞれの、対向した突出ウイングすなわちフランジ部の対の間に、貫通凹部（Ｕ字型凹部１０２Ｃ）が、テクスチャ表面１５Ｃに垂直なフランジアダプタ側壁によって形成され、凹部は、Ｕ字の脚を相互接続する実質的に直線の部分を有する実質的にＵ字型であり、導波管開口３Ｃの長い、すなわち広い辺と実質的に平行に延在する場所でテクスチャ表面１５Ｃの外側に位置する。くびれ型凹部１０３Ｃ及びＵ字型凹部１０２Ｃは、固定要素１２Ｃまたはその頭部（図９Ｂ参照）が、それぞれの導波管フランジ１０Ｃ、例えば標準導波管フランジの表面に接続されることを可能にするような形状であり、可能にするような寸法を有するが、フランジアダプタ要素１００のウイングすなわちフランジ部の外周の側壁は、それぞれの導波管フランジ（１０Ｃ、２０Ｃ）の外周の、周囲の側壁に対応するような形状であり、対応するような寸法を有する。くびれ凹部及びＵ字型凹部（１０２Ｃ、１０３Ｃ）の位置は、好ましくは、固定ねじ孔が標準導波管に位置する場所に、対応するように選択される。
【００７８】
図８Ｂは、既に上述された、図８Ａのフランジアダプタ要素１００Ｃの上面図である。
【００７９】
図９Ａは、２つの導波管フランジ間に配置されたフランジアダプタ要素１００Ｃを示し、該２つの導波管フランジは、フランジアダプタ要素１００Ｃにより、磁性頭部（１３Ｃ、２３Ｃ）、または頭部上の磁性要素による相互接続を介して相互接続されている。図９Ａは、図３Ｃと類似しているが、図８Ａ、８Ｂのフランジアダプタ要素のための図であり、したがって、上述のすべての要素を参照する、図８Ａ、８Ｂの参照符号を有する。
【００８０】
図９Ｂは、フランジアダプタ要素１００Ｃによって、かつ第１及び第２の導波管フランジ（１０Ｃ、２０Ｃ）のねじ孔（１２０Ｃ、２２０Ｃ）に差し込まれた相互接続要素であるねじ（１２Ｃ、２２Ｃ）によって相互接続されている位置の、２つの導波管フランジ（１０Ｃ、２０Ｃ）を示す。ねじ頭部（１３Ｃ、２３Ｃ）が、貫通凹部、すなわち、ここではＵ字形凹部及びくびれ部の中に配置されるように、ねじ孔に差し込まれた磁性頭部（１３Ｃ、２３Ｃ）を有するねじを備える導波管フランジ（１０Ｃ、２０Ｃ）がフランジアダプタ要素１００Ｃと接触すると、導波管フランジ（１０Ｃ、２０Ｃ）は、磁性ねじ頭部（１３Ｃ、２３Ｃ）の間の磁性引力によって機械的に相互接続される。整列ピン１１１Ｃによって、位置決めは正確になる。このように、相互接続はスナップ式操作のような容易な方法で行われる。ねじは依然として必要とされ得るが、図１−４に示された実施形態に関して上述したように、例えば、予め導波管フランジ（１０Ｃ、２０Ｃ）のねじ孔に容易に適合される、すなわち差し込まれることが可能である。また、どのねじをきつく締める必要もない。磁性頭部、すなわち頭部上の磁性要素を有するねじが一度導波管フランジに適合され、ねじがフランジアダプタ要素１００Ｃの対向する面に配置されると、アセンブリを取り扱う人員の特別な技術を必要とすることなく、ほぼ自動の方法で相互接続が行われる。これにより、導波管構造または導波管フランジの相互接続、接合、取り外し、交換は著しく容易となり、高精度で、対向するフランジのテクスチャ表面または平滑な表面を破壊する恐れをもたらす強い力を用いることなく、容易かつ迅速な方法で行われ得る。ねじ頭部の高さは、図１−４に表される実施形態を参照して既に説明されており、同一の条件が、波形構造、楕円形の溝を有する構造などの他のテクスチャ表面を有する実施形態に適用される。他の例は、図５Ａ、５Ｂに開示された実施形態に対応する構造であり、任意の種類の半分の高さの突出要素、または、協働する対で完全な高さの突出要素を形成するが、その間にギャップを有するような長さの突出要素が設けられた両方のフランジアダプタ要素の場合、導波管フランジに固定的に接続されているように適合されるか、もしくはそれ自体が導波管フランジとして形成されるか、または別のフランジアダプタ要素と相互接続するように配置されるフランジアダプタ要素構造を有する。
【００８１】
以下では、いくつかの異なるテクスチャ表面及び周囲を取り囲んでいるリムすなわち突条部が説明されるが、任意の導波管フランジアダプタ要素または導波管フランジなどに適用可能である。
【００８２】
図１０Ａは、図１のようなフランジアダプタ要素であるが、ここでは両面のフランジアダプタ要素の、テクスチャ表面１５を有する中央構造１７０（中央部分）を示す。しかしながら、周期構造または準周期構造の機能は、両面の実施または片面の実施であることとは無関係に、同一である。テクスチャ表面１５、すなわち周期構造または準周期構造は、ここでは、小さな空気のギャップが表面間に存在し、表面間のギャップ内で波が伝播することを防ぐように配置された対向する平滑なフランジ表面と相互接続するために配置されたピン（突出要素１１５）を含む。阻止帯域の状態は、約λ／４であり得るピン（突出要素１１５）の高さによって制御され、λは、通常自由空間であるが誘電体媒質であってもよい、ピンを囲む媒体における波長である。
【００８３】
ピン（突出要素１１５）は、太くてもよく、または細くてもよい。太いピンは、製造の観点から好ましい。ピンの太さ対ピンの長さの比が大きいと、製造が容易になる。しかしながら、標準フランジは固定サイズを有するため、ピンを取り付けるためのスペースは限られており、ピンのそれぞれの列は、減衰を導き、漏れから波を保護する。したがって、細いピンは、フランジのより良い性能のため、すなわち、より少ない漏れを有するため、好ましい。本発明概念は、太いピン及び細いピン、または他の太い、もしくは細い突出要素の使用を包含する。
【００８４】
図１を参照して言及したように、導波管開口３の周囲のリムすなわち突条（１５１、１５２）は、導波管フランジの電気性能のために重要であり、したがって、その寸法は任意には選択されない。また、製造面も検討が必要である。従来技術のセクションでも言及したように、非特許文献１は、導波管開口の周囲の突条の使用を開示している。この突条部は、ピンが有する高さと同一の高さを有し、導波管開口の広い辺に沿ってより厚くなり、「インピーダンス変換器」として言及される。この厚さは約λｇ／４であり、波が入る可能性のあるフランジ間に、ギャップが物理的に存在しても、波が金属の壁または電気的接触を「見送る」ような方法で、導波管開口で開回路を短絡回路に変換する。同様のテクスチャ表面は、導波管開口の広い辺の最外列の外側に、もう１つの、より短いピンの列が存在し、短いリムすなわち突条１５２の壁は少し厚い、という違いを有するいくつかの実施形態において使用される。
【００８５】
図１０Ｂでは、テクスチャ表面１５の構造の上面図または正面図が示される。
【００８６】
Ｐｕｃｃｉらによって提示された設計は、６０ＧＨｚでの製造には適していないことが示された。突条の設計の１つは、導波管開口の広い壁に沿ってλｇ／４の厚さを有する矩形のリムであり、導波管開口の狭い壁に沿ってわずか５０μｍ、またはそれより小さい厚さを有する。そのような厚さは、製造の観点からは適切でない。一方で、厚さが増加すると、非常に広い帯域である標準フランジのＶバンド全体をカバーすることができない。これは、帯域内に現れる共振が原因である。
【００８７】
導波管開口の周囲の突条の別の設計は、上述のように非特許文献２に記載された２００−３００ＧＨｚフランジに使用された環状リムであるが、ピン及び突条の寸法が、波長の点で電気的により大きいＶバンドフランジには適していない。フランジのサイズは固定され、かつ限定されるため、導波管開口の周囲の突条に円形模様が採用される場合、基本的にフランジ内にはピンを取り付ける空間が存在しない。
【００８８】
図１１では、複数の突出要素１１５Ｄを含むテクスチャ表面１５Ｄを有する中央部分すなわち中央構造１７０Ｄの別の実施形態が開示される。長い突条１５１Ｄすなわちリムは、波がギャップを介して伝搬することを防ぐために重要であり、設計のために必要とされるピン（または、より一般的には突出要素）の列の数を１つのみに減少させることを可能にすることが理解された。しかしながら、図示の実施形態では、ピン（突出要素１１５Ｄ）の２つの列が存在する。当然のことながら、本発明は以下に限定されないが、任意の適切な、または所望の周波数帯域を包含するように適合されてもよく、導波管開口３Ｄの周囲の矩形のリムすなわち突条（１５１Ｄ、１５２Ｄ）は、より大きな周波数帯域、例えばいくつかの実施では５０ＧＨｚ−７５ＧＨｚの周波数帯域全体、をカバーするために変更される。有利には、導波管の狭いすなわち短い辺のリムすなわち突条１５２Ｄは、例えば約２００−４００μｍの間の、好ましくは４００μｍより薄い、容易な製造が可能である十分な厚さを有する。導波管開口の広いすなわち長い辺に沿ったリムすなわち突条１５１Ｄは、異なる部分、すなわち、約λｇ／４の厚さＤ２を有する、プラットフォーム（突条１５１Ｄ'）とも示される中央部と、厚さＤ２を有する外側の狭い突条１５１Ｄ''とに分割される。したがって、中央突条（１５１Ｄ'）すなわちプラットフォームは、導波管開口の広い辺の全長に沿って延在する必要はない。
【００８９】
中央突条（１５１Ｄ'）すなわちプラットフォームの長さＬ、または伸長部分は、対象の周波数帯域内、いくつかの実施形態では例えば５０−７０ＧＨｚ内で、漏れの観点で良好な性能を提供するように最適化されてもよい。導波管開口の狭い辺に沿ったリムすなわち突条１５２Ｄの厚さと、突条（１５１Ｄ'）すなわちプラットフォームの長さとの間には関連があることも理解される。短い辺のリムすなわち突条１５２Ｄの厚さが大きいほど、中央突条（１５１Ｄ'）すなわちプラットフォームの長さＬは短くなる。
【００９０】
例示目的のみのためであり、決して限定目的のためでなく、いくつかの例示的な寸法が、６０ＧＨｚフランジアダプタ要素についてのいくつかの異なる実施形態のために提供される。一実施形態では、例えば直径約６７０μｍ、及び約１，１１０μｍの高さ（全長）を有する太いピンが使用される。壁厚は、中央の突条１５１Ｄ'の壁の厚さと対応して、例えばＨ面（短い突条１５２Ｄ、及び外側の突条１５１Ｄ''の壁の厚さ）では２００μｍであってもよく、Ｅ面ではλｇ／４であってもよい。空気ギャップは約１００μｍであってもよく、フランジは約６.６ｍｍの合計厚さを有していてもよい。
【００９１】
６０ＧＨｚフランジアダプタ要素についての一実施形態では、例えば、約４００μｍの直径を有する細いピンが使用される。壁厚は、中央の突条１５１Ｄ'の壁の厚さと対応して、例えばＨ面（短い突条１５２Ｄ、及び外側の突条１５１Ｄ''の壁の厚さ）では２００μｍであってもよく、Ｅ面ではλｇ／４であってもよい。空気ギャップは約１００μｍであってもよく、フランジは約６．６ｍｍの合計厚さを有していてもよい。
【００９２】
６０ＧＨｚフランジアダプタ要素についてのさらに別の実施形態では、例えば、約４００μｍの直径を有する細いピンが使用され、壁厚は、中央の突条１５１Ｄ'の壁の厚さと対応して、Ｈ面（短い突条１５２Ｄ、及び外側の突条１５１Ｄ''の壁の厚さ）では約３００μｍであってもよく、Ｅ面ではλｇ／４であってもよい。空気ギャップは約１００μｍであってもよく、フランジは約６．８ｍｍの合計厚さを有していてもよい。
【００９３】
図１２は、両面の実施において、図１１のようなテクスチャ表面、及びリムすなわち突条構造を囲む導波管を有する、すなわち、導波管開口の周囲の両方の面に同一の周期構造または準周期構造を有する、中央部すなわち中央構造１７０Ｅを示す。同様の要素は、「Ｅ」を付されているが、図１１と同一の参照符号を有するため、本明細書ではさらに説明されない。
【００９４】
図１３Ａは、複数の突出要素１１５Ｆを含むテクスチャ表面１５Ｆを有する中央部分すなわち中央構造１７０Ｆの別の実施形態を示す。図１１を参照して上述したように、長い突条すなわち突条１５１Ｆはまた、波がギャップを介して伝搬することを妨げるために重要であるという理解のため、導波管開口の各面に１列の突出要素１１５Ｆを有する実装が有利であり、その一例が図１３Ａに示される。当然のことながら、本発明は以下に限定されないが、任意の適切な、または所望の周波数帯域を包含するように適合されてもよく、導波管開口３Ｆの周囲の矩形のリムすなわち突条（１５１Ｆ、１５２Ｆ）は、より大きな周波数帯域、例えばいくつかの実施では５０ＧＨｚ−７５ＧＨｚの周波数帯域全体、をカバーするために変更される。有利には、導波管の狭いすなわち短い辺のリムすなわち突条１５２Ｆは、例えば約２００−４００μｍの間の、好ましくは４００μｍより薄い、容易な製造が可能である十分な厚さを有する。導波管開口の広いすなわち長い辺に沿ったリムすなわち突条１５１Ｆは、異なる部分、すなわち、約λｇ／４の厚さを有する、プラットフォーム（突条１５１Ｆ'）とも示される中央部と、外側の狭い突条１５１Ｆ''とに分割される。中央の突条１５１Ｆ'すなわちプラットフォームは、導波管開口３Ｆの広い辺の全長に沿って延在しない。
【００９５】
中央の突条１５１Ｆ'すなわちプラットフォームの長さＬ、または伸長部分は、対象の周波数帯域内、いくつかの実施形態では例えば５０−７０ＧＨｚ内で、漏れの観点で良好な性能を提供するように最適化されてもよい。上述のように、導波管開口の狭い辺に沿ったリムすなわち突条１５２Ｆの厚さと、広い辺に設けられた突条１５１Ｆ'すなわちプラットフォームの長さとの間には関連がある。短い辺のリムすなわち突条１５２Ｆの厚さが大きいほど、中央突条（１５１Ｆ'）、すなわちプラットフォームの長さＬは短くなり、逆もまた同様である。図１３Ｂは、単に説明目的で示される図１３Ａの中央構造１７０Ｆ上面図である。
【００９６】
図１４Ａは、図１３Ａのような中央部分すなわち中央構造１７０Ｆを含むフランジアダプタ要素の実施形態を示し、したがって、本明細書ではさらに説明しない。該フランジアダプタ要素には、周期構造または準周期構造、すなわちテクスチャ表面１５を囲むように配置された外側の保護または支持部、または要素、例えばリム（支持要素１０５Ｆ）（図１の参照符号１０５も参照）が設けられている。例えばリムなどの外側の保護的または支持的な部分または要素（支持要素１０５Ｆ）の形状は、電気的性能のためには重要ではないが、２つのフランジが共に接続されてフランジ表面（平滑な、またはテクスチャ加工された）を損傷から保護する場合、表面に支持または接触を提供するために重要である。このような外側の保護的または支持的な部分または要素であるリム（支持要素１０５Ｆ）の高さは、突出要素１１５Ｆの高さに完全な高さの突出要素構造のためのギャップを加えた高さ、及び突出要素の高さに半分の高さの突出要素構造のためのギャップの半分を加えた高さに等しく、また互いに異なる高さが突出要素に使用される場合も同様であるため、フランジ間に一定のギャップを設けることにも役立つ。
【００９７】
図１を参照して説明した実施形態に関して、フランジアダプタ要素１００Ｆは、整列ピン受け孔１０１Ｆが設けられるウイング部すなわち突出部を含み、ウイング部すなわち突出部の間には、凹部、例えばＵ字型凹部１０２Ｆ及びくびれ１０３Ｆが設けられる。これにより、本出願で前述したため本明細書ではさらに説明されないような磁性頭部、すなわち頭部に取り付けられた磁性部分などを有する固定要素、例えばねじのためのスペースが残る。
【００９８】
図１４Ｂは、単に説明目的で示された図１４Ａのフランジアダプタ要素１００Ｆの上面図である。
【００９９】
図１５Ａでは、代替的な相互接続要素（１２Ｇ１、１２Ｇ１、１２Ｇ２、１２Ｇ２）の組が示される。上面図、及び側面図は、図１５Ｂ、１５Ｃに示される。このような相互接続要素、または固定要素の使用は、異なる深さまたは厚さを有するフランジアダプタ要素の問題を乗り越える際、及び磁性要素が既存の、または規格のねじに固定される場合、特に有利である。この解決策は、ここでは留め具としての機能も果たす４つの別個の相互接続要素を含む固定システムの使用も含む。それらは、本出願で前述したフランジアダプタ要素の形状に適合された形状を有し、特定の実装が図１６Ｂに示される。前述の実施形態を参照して既に説明されたため、この実施形態に特有でない要素は詳細には説明されず、同様の要素には同一の参照符号が与えられるが、「Ｇ」が付される。
【０１００】
ここで、相互接続（または固定）要素の２つの異なる（及び鏡写しの）形状は、上部／底部固定具とも呼ばれる第１の相互接続要素１２Ｇ１、及び側面固定具とも呼ばれる第２の相互接続要素１２Ｇ２が使用される。これにより、セマンティックルック（semantic look）が増加し、不正確な取付けの恐れが減少する。外形を除いて、相互接続要素（１２Ｇ１、１２Ｇ２）の設計は同様である。一実施形態では、相互接続要素は、例えばＷＲ１５フランジの形状に適合されたシェル状構成１２２を有する。導波管フランジの既存のねじ孔への接続を可能にするように適合されたドーム状の突起１２１が、相互接続要素の内部に設けられる。前面に、円筒形状の筐体１２３が、永久磁石要素１３Ｇ、例えば３×２ｍｍのネオジム磁石の受容のために設けられる。
【０１０１】
相互接続要素（１２Ｇ１、１２Ｇ１、１２Ｇ２、１２Ｇ２）は、図１６Ａに示された導波管フランジ１０Ｇの中央に向かって適切な場所にスナップすることにより、導波管フランジ１０Ｇ、例えばＷＲ１５フランジへ容易に適用させることができる。ドーム形状の突起１２１、及び放射状のシェル状構成１２２は、相互接続要素が適切な場所すなわち位置に固定されることを確実にする。相互接続要素（１２Ｇ１、１２Ｇ１、１２Ｇ２、１２Ｇ２）が導波管フランジ１０Ｇ上に一度適用されると、フランジアダプタ要素１００Ｇは、例えば図３Ａ、３Ｂを参照して説明した整列ピンを用いて取付けられ得る。相互接続要素、及び整列ピンの形状は、フランジアダプタ要素１００Ｇが不正確に取付けられないことを保証する。図１６Ａに示されるように、４つの相互接続要素、すなわち固定具を相互接続導波管フランジ（図示せず）に取り付けることにより、導波管フランジを、本出願で前述した磁性要素によって適切な場所に保持されるフランジアダプタ要素１００Ｇに整列させることにより、相互接続が完了する。好ましくは、相互接続要素は、フランジアダプタ要素の損傷を回避するためにフランジアダプタ要素１００Ｇより前に導波管フランジに取り付けられるが、必要条件ではない。取り外しのため、相互接続要素はフランジの中央から単純に引き出され、外側に引き抜かれる。有利な実施形態では、相互接続要素（１２Ｇ１、１２Ｇ１、１２Ｇ２、１２Ｇ２）は、プラスチックで製造されて、取付け及び取り外しのために良好な弾性を提供する。他の実施形態では、相互接続要素は金属で製造される。また、相互接続要素は、導波管の裏側からねじによって取付けられてもよい。
【０１０２】
相互接続要素は、例えば射出成形、または液状射出成形によって製造されてもよい。当然のことながら、他の製造方法も同様に可能である。
【０１０３】
本発明は、図示された実施形態に限定されないが、多数の方法で変化し得ることは明らかであり、異なる実施形態の特徴を自由に組み合わせることが可能である。特に、周期構造または準周期構造であるテクスチャは、多くの異なる種類、すなわちタイプ、形状、及び大きさ、並びに配置の突出要素であってもよく、寸法は異なる周波数帯域に合わせて決定され、いくつかの数字は、突出要素の寸法、導波管開口の周囲の突条部の厚さなどに関する限り、例えば６０ＧＨｚの実施に対して提供される。また、フランジアダプタ要素は、整列ピンによってガイドされ、摺動可能であるか、導波管フランジそれ自体を含む導波管フランジに解放可能に接続することを可能にする別個の部分として実装され得るか、または導波管フランジに固定的に接続されるように適合され得るということは明らかである。フランジアダプタ要素はまた、両面のフランジアダプタ要素または片面の要素として提供され得る。さらに、相互接続要素は、磁性ねじ頭部、すなわち接着などによってねじ頭部に接続された磁石、または他の相互接続要素に取り付けられた磁性要素を含んでいてもよく、同様に、磁性要素は、導波管フランジ、または特に、例えば小さな凹部すなわちキャビティの中、あるいは表面上の外部に接着されることにより、導波管フランジ、またはフランジ支持要素（例えば、図５Ａの参照符号１４５Ａを参照）に固定的に接続されるべきフランジアダプタ要素に固定されていてもよい。また、ウイング部、すなわち相互接続要素（例えば磁性要素を有するねじ）のためのスペースがある中間凹部の形状及び大きさは、異なる方法で変更されてもよく、いくつかの例示的な実施形態のみが示されている。また、磁石を有するねじ、または磁石それ自体以外の他の固定要素を使用することも可能である。特定の実施は、相互接続要素のタイプに関係なく、保護または支持リム自体に囲まれているフランジアダプタ要素を指す。
【０１０４】
いくつかの実施形態では、テクスチャ表面、すなわち周期構造または準周期構造は、（０．１５λ）２の断面領域面積、及び０．１５−０．２５λの高さを有する、導波管開口を取り囲む複数の四角形状のピンを含む。また、導波管開口を囲む溝を有する、同心円状または楕円形状に配置された複数の波形を有する波形構造を含んでいてもよい。
【０１０５】
上述のように、任意の適切な種類のピンまたは波形の幅、または断面面積／高さは、所望の周波数帯域によって決定される。周波数帯域が高いほど面積は小さくなり、面積は波長に比例して変化する。すなわち、周波数が高いほど波長は小さくなり、面積が小さくなる。周波数帯域の場合には、波長は、周波数帯域に対応する中心周波数の波長を意味する。
【０１０６】
磁性を有する相互接続要素が使用される場合、フランジアダプタ要素は、多くの異なるフランジ接続において容易に接続され、緩められ、再利用され得ることが本発明の利点である。また、例えば磁性要素が使用される場合、接続及び解放は、他の固定機構が使用される場合よりはるかに早いことも利点である。
【０１０７】
本発明の概念は、円形導波管にも適用可能である。この概念は、円形ではない、例えば矩形の導波管フランジにも適用可能である。
【０１０８】
特に、マイクロ波またはミリ波の用具すなわち器具を、マイクロ波もしくはミリ波の回路もしくはデバイス、または、マイクロ波もしくはミリ波の回路もしくはデバイスを解析もしくは測定するための非試験デバイス（ＤＵＴ）もしくは用具すなわち器具のための較正装置に接続するために使用され得る。マイクロ波の器具では、ＴＨｚ周波数以上の周波数のためのデバイスも意味する。
【０１０９】
既存の標準導波管フランジを用いた相互接続を容易にする導波管相互接続装置が提供されることは有利である。導波管構造相互接続装置はさらに、小型であり、組み立て及び再組み立てが容易である。
【０１１０】
また、ギャップの存在が、表面、例えば２つのテクスチャ表面または１つのテクスチャ表面と、平滑な表面との間の相対移動を可能にすることは特に有利であり、例えば較正手順などの間、フランジが移動する必要がある場合に、いくつかの実施で有利である。
【０１１１】
表面間のギャップは、ギャップとして説明され、いくつかの場合では実質的にゼロギャップであってもよく、２つの表面間にはいかなる電気的接触も必要とされないことが要点であることに注目すべきである。
【図１】
2019515563.tif 000003
【図２】
2019515563.tif 000004
【図３Ａ】
2019515563.tif 000005
【図３Ｂ】
2019515563.tif 000006
【図３Ｃ】
2019515563.tif 000007
【図４】
2019515563.tif 000008
【図５Ａ】
2019515563.tif 000009
【図５Ｂ】
2019515563.tif 000010
【図６Ａ】
2019515563.tif 000011
【図６Ｂ】
2019515563.tif 000012
【図６Ｃ】
2019515563.tif 000013
【図７Ａ】
2019515563.tif 000014
【図７Ｂ】
2019515563.tif 000015
【図７Ｃ】
2019515563.tif 000016
【図７Ｄ】
2019515563.tif 000017
【図８Ａ】
2019515563.tif 000018
【図８Ｂ】
2019515563.tif 000019
【図９Ａ】
2019515563.tif 000020
【図９Ｂ】
2019515563.tif 000021
【図１０Ａ】
2019515563.tif 000022
【図１０Ｂ】
2019515563.tif 000023
【図１１】
2019515563.tif 000024
【図１２】
2019515563.tif 000025
【図１３Ａ】
2019515563.tif 000026
【図１３Ｂ】
2019515563.tif 000027
【図１４Ａ】
2019515563.tif 000028
【図１４Ｂ】
2019515563.tif 000029
【図１５Ａ】
2019515563.tif 000030
【図１５Ｂ】
2019515563.tif 000031
【図１５Ｃ】
2019515563.tif 000032
【図１６Ａ】
2019515563.tif 000033
【図１６Ｂ】
2019515563.tif 000034
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
導波管構造または構成要素の相互接続のための導波管フランジアダプタ要素（１００；１００Ａ；１００Ｂ１、１００Ｂ２；１００Ｃ；１００Ｆ；１００Ｇ）を含む装置であって、
少なくとも意図された使用周波数帯域において、波が導波管開口（３；３Ａ；３Ｂ；３Ｃ；３Ｄ；３Ｅ；３Ｆ；３Ｇ）の周囲の表面から、所望の方向、すなわち導波管経路にある別の導波管開口の間のギャップ（３０；３０Ｂ）を通過することを可能にし、他の方向でのギャップ内の波の伝搬を妨げるべく構成または設計された複数の突出要素（１１５；１１５Ａ；１１５Ｂ１，１１５Ｂ２；１１５Ｃ；１１５Ｄ；１１５Ｅ；１１５Ｆ；１１５Ｇ）によって形成される周期構造または準周期構造を有する導電性材料からなる表面が前記導波管フランジアダプタ要素に設けられ、
前記装置は、電気的接触、すなわち導電性接触を伴うことなく導波管フランジまたは別の導波管フランジアダプタ要素との相互接続を可能にするべく、周期的または準周期的に配置されている突出要素（１１５；１１５Ａ；１１５Ｂ；１１５Ｃ；１１５Ｄ；１１５Ｅ；１１５Ｇ）によって形成された少なくとも１つの表面（１５；１５Ａ；１５Ｂ１；１５Ｃ；１５Ｄ；１５Ｅ；１５Ｆ；１５Ｇ）と、他方の導波管フランジ（２０；２０Ａ；２０Ｃ）または別の導波管フランジアダプタ要素（１００Ｂ２）の、他方の導波管開口の周囲の表面との間に前記ギャップ（３０）が設けられ、
前記装置が、周期的または準周期的に配置された前記突出要素（１１５；１１５Ａ；１１５Ｂ；１１５Ｃ；１１５Ｄ；１１５Ｅ；１１５Ｇ）によって形成された１つ以上の前記表面（１５；１５Ａ；１５Ｂ１；１５Ｃ；１５Ｄ；１５Ｅ；１５Ｆ；１５Ｇ）が、互いに対向する相互接続するべき導波管フランジ（２０；２０Ａ；２０Ｃ）または導波管フランジアダプタ要素（１００Ｂ２）に直接機械的に接触させることのない相互接続手段を含み、
前記ギャップ（３０）はλ／４より小さく、λは前記突出要素であるピンを囲む媒体内の波長であり、前記ギャップ（３０）は、通常、自由空間であるが、誘電媒体（１、２、１Ａ、２Ａ；１Ｂ、２Ｂ；１Ｃ、２Ｃ；１Ｇ）であってもよく、例えば、測定、較正などをなされるべき導波管信号の対応する導波管周波数帯域の波長または中心周波数波長の１／４であり、
前記相互接続手段は、周期的または準周期的に配置された前記突出要素（１１５；１１５Ａ；１１５Ｂ１；１１５Ｂ２；１１５Ｃ；１１５Ｄ；１１５Ｅ；１１５Ｆ；１１５Ｇ）によって形成された前記表面（１５；１５Ａ；１５Ｂ１，１５Ｂ２；１５Ｃ；１５Ｄ；１５Ｅ；１５Ｆ；１５Ｇ）を少なくとも部分的に囲むリム、突条、または任意の他の保護要素もしくは支持要素（１０５；１０５Ａ；１０５Ｃ；１０５Ｇ）、あるいは層を含むことを特徴とする装置。
【請求項２】
請求項１に記載の導波管構造の相互接続のための装置であって、
相互接続されるべき２つの導波管フランジ（１０、２０；１０Ｂ、２０Ｂ；１０Ｃ、２０Ｃ；１０Ｆ、２０Ｆ）の間に解放可能に配置されるように適合された、少なくとも１つの別個の固定されていないフランジアダプタ要素を含むことを特徴とする装置。
【請求項３】
請求項１または２に記載の導波管構造の相互接続のための装置であって、
前記少なくとも１つのフランジアダプタ要素は、周期的または準周期的に配置された突出要素（１１５；１１５Ａ；１１５Ｃ；１１５Ｄ；１１５Ｅ；１１５Ｆ；１１５Ｇ）、すなわちテクスチャ表面によって形成された前記表面（１５；１５Ａ；１５Ｂ１，１５Ｂ２；１５Ｃ；１５Ｄ；１５Ｅ；１５Ｆ；１５Ｇ）の周囲、かつ前記表面から少し離れた位置に、実質的に対称に配置された整列ピン受け孔（１０１；１０１Ａ；１０１Ｃ；１０１Ｆ）を含み、
前記フランジアダプタ要素は、前記フランジアダプタ要素の前記整列ピン受け孔（１０１；１０１Ａ；１０１Ｃ；１０１Ｆ；１０１Ｇ）、及び前記相互接続する導波管フランジ（１０、２０；１０Ｃ、２０Ｃ；１０Ｆ、２０Ｆ；１０Ｇ）内の協働するピン受け孔に導入された整列ピン（１１１）によって、前記相互接続する導波管フランジに関して整列するように配置されることを特徴とする装置。
【請求項４】
請求項２または３に記載の導波管構造の相互接続のための装置であって、
少なくとも１つのフランジアダプタ要素を含み、
前記少なくとも１つのフランジアダプタ要素はそれぞれ、周期的または準周期的に配置された突出要素（１１５；１１５Ａ；１１５Ｂ；１１５Ｃ；１１５Ｄ；１１５Ｅ；１１５Ｆ；１１５Ｇ）によって形成された１つの表面（１５；１５Ａ；１５Ｂ１、１５Ｂ２；１５Ｃ；１５Ｄ；１５Ｅ；１５Ｆ、１５Ｇ）、すなわちテクスチャ表面を含み、
前記フランジアダプタ要素は、導波管フランジに、固定的または解放可能に接続可能であるように適合されるか、または２つの導波管フランジに解放可能に接続されるか、もしくはその間に介在するように適合され、
前記フランジアダプタ要素は、整列ピン（１１１）上に摺動可能に配置されることを特徴とする装置。
【請求項５】
請求項４に記載の導波管構造の相互接続のための装置であって、
前記相互接続手段は、相互接続要素をさらに含み、
前記フランジアダプタ要素は、複数の貫通凹部（１０２、１０３；１０２Ａ；１０３Ａ；１０２Ｃ、１０３Ｃ；１０２Ｆ；１０３Ｆ）、もしくは相互接続要素（１２；１２Ａ；１２Ｂ；１２Ｃ；１２Ｇ１、１２Ｇ２）もしくはその部分の受容を可能にする突出部すなわちウイング部（１７５Ｂ、１７６Ｂ）、または少なくとも１つの相互接続導波管フランジに接続されている相互接続要素（１３Ａ；１３Ｇ）を含み、
前記相互接続要素は、他方の相互接続導波管フランジの磁性要素、または前記他方の相互接続導波管フランジ（１０；１０Ａ；１０Ｂ；１０Ｃ；１０Ｆ；１０Ｇ）の相互接続要素（２２；２２Ａ；２２Ｂ；２２Ｃ；２２Ｆ）の磁性要素すなわち磁性部分（２３；２３Ａ；２３Ｂ；２３Ｃ；２３Ｆ）と協働するように適合された磁性要素すなわち磁性部分（１３；１３Ａ；１３Ｂ；１３Ｃ；１３Ｆ；１３Ｇ）を含み、
前記相互接続要素の少なくともいくつかは、磁性頭部または磁性要素（１３；１３Ａ；１３Ｂ；１３Ｃ）によって固定的または解放可能に接続可能な、例えばねじ（１２；１２Ａ；１２Ｂ；１２Ｃ）などの固定要素、またはクランプ要素もしくはクリップ、スナップオン要素（１２Ｇ１、１２Ｇ２）を含み、
前記フランジアダプタ要素が２つの導波管フランジの間に差し込まれ、整列されると、前記導波管フランジは相互接続され、前記フランジアダプタ要素はその間にクランプまたは保持されることを特徴とする装置。
【請求項６】
請求項５に記載の導波管構造の相互接続のための装置であって、
前記相互接続要素は、例えば標準導波管フランジのための突出部（１２；１２Ｂ；１２Ｃ；１２Ｇ１・・・）を有するねじまたはスリーブを含み、
前記フランジアダプタ要素は、ねじ頭部、すなわち突出部の高さの実質的に２倍に対応する厚さ、すなわち高さを有するか、またはその逆であり、
前記ねじを含む前記相互接続要素は、両方の相互接続導波管フランジのねじ孔に導入されるように適合されることを特徴とする装置。
【請求項７】
請求項４に記載の導波管構造の相互接続のための装置であって、
前記フランジアダプタ要素は、平滑な表面を有する２つの導波管フランジを相互接続するように適合され、
前記平滑な導波管フランジ表面の１つに、１つまたは各テクスチャ表面が面し、前記ギャップ（３０、３０Ｂ）はλ／４より小さく、λは前記ピンを囲む前記媒体中の前記波長であり、通常、自由空間であるが、誘電媒体であってもよい前記ギャップは、テクスチャ表面と、平滑な導波管フランジ表面との間に提供されることを特徴とする装置。
【請求項８】
請求項１〜７のいずれか１項に記載の導波管構造の相互接続のための装置であって、
前記フランジアダプタ要素は、固定要素（１７）、例えばねじによって平滑な導波管フランジ（１０Ａ；１０Ｂ；２０Ｂ）に接続もしくは固定されるか、または導波管フランジ（１０Ａ；１０Ｂ；２０Ｂ）に糊付けされるように適合され、これにより、前記テクスチャ表面（１５Ａ、１５Ｂ１、１５Ｂ２）は、固定される前記導波管フランジ（１０Ａ；１０Ｂ；２０Ｂ）と反対方向に面することを特徴とする装置。
【請求項９】
請求項１〜８のいずれか１項に記載の導波管構造の相互接続のための装置であって、
前記装置は２つのフランジアダプタ要素（１００Ｂ１、１００Ｂ２）を含み、前記フランジアダプタ要素はそれぞれ、複数の突出要素（１１５Ｂ）によって形成された周期構造または準周期構造（１５Ｂ、１５Ｂ）を有する導電性材料の表面を含み、
前記２つの表面の前記突出要素は、例えば、第１セットの突出要素の各突出要素が第２セットの突出要素の各突出要素に面するように相補的に配置され、各表面の２つの対応する要素の合計の高さすなわち長さが、任意の方向における前記フランジ間の前記ギャップの内部の波の伝搬を妨げる前記周期構造または準周期構造の全長を形成するような高さすなわち長さをそれぞれ有し、
少なくとも意図された周波数帯域において、１つのフランジ表面の導波管開口から他方のフランジ表面の導波管開口への前記ギャップを波が通過することを可能にし、
前記第１セット及び前記第２セットの前記突出要素の前記長さすなわち高さは同一であり、所望の阻止帯域を形成するために必要な前記全体の長さの実質的に半分の長さをそれぞれが有するか、または前記第１セット及び前記第２セットの、及び／または前記第１セット及び前記第２セット内の前記突出要素の前記長さすなわち高さはそれぞれ異なり、互いが面する２つの突出要素の前記全体の長さが、所望の阻止帯域を形成するために必要な前記全体の長さに実質的に対応する、すなわち前記突出要素が互いに対して補い合う位置に配置され、
各フランジアダプタ要素（１００Ｂ１、１００Ｂ２）は、例えば、ねじ、ボルトなど、または導波管フランジを形成するもの自体によって、それぞれの導波管フランジ（１０Ｂ、２０Ｂ）に固定的または解放可能に接続されるように適合されていることを特徴とする装置。
【請求項１０】
請求項９に記載の導波管構造の相互接続のための装置であって、
各フランジアダプタ要素（１００Ｂ１、１００Ｂ２）は、前記それぞれのテクスチャ表面（１５Ｂ）の周囲に配置された４つの突出部すなわちウイング部（１７５Ｂ、１７５Ｂ、１７６Ｂ、１７６Ｂ）を含み、前記突出部はそれぞれ、相互接続要素（１２Ｂ、２２Ｂ）を受容するために適合された孔（１０２Ｂ）を含むことを特徴とする装置。
【請求項１１】
請求項１〜１０のいずれか１項に記載の導波管構造の相互接続のための装置であって、
前記周期的もしくは準周期的構造またはテクスチャ（１５；１５Ａ；１５Ｂ；１５Ｃ；１５Ｄ；１５Ｅ；１５Ｆ；１５Ｇ）、すなわちフランジアダプタ要素の前記導波管開口の周囲に配置された前記突出要素の前記パターンを含む前記フランジアダプタ要素の前記側面または表面は、良好な性能、すなわち、２つの接合し、相互接続する導波管構造の間の低い反射係数、及び高い透過係数を提供するように最適化され、
突出要素（１１５；１１５Ａ；１１５Ｄ；１１５Ｅ；１１５Ｆ；１１５Ｇ）、例えば溝などの間のピン、突条の前記高さは、高さが最大である突出要素の場合、すなわち、前記周期構造または準周期構造を有する前記フランジアダプタ構成要素が平滑な導電性表面を有する導波管フランジと相互接続される場合、実質的にλ／４−λ／２の高さを有し、または、高さが最大でない突出要素（１１５Ｂ）の場合、すなわち、前記周期構造または準周期構造を有する前記フランジアダプタ構成要素が、周期構造または準周期構造を有する別の導波管フランジ要素と相互接続される場合、λ／８−λ／４の高さを有し、λは、ピンを囲む媒体中の波長であり、前記媒体は通常自由空間であるが、誘電体媒体でもあり得ることを特徴とする装置。
【請求項１２】
請求項１１に記載の導波管フランジの相互接続のための装置であって、
突出要素の前記周期構造または準周期構造（１１５；１１５Ａ；１１５Ｂ；１１５Ｃ；１１５Ｄ；ｆｆ１１５Ｅ；１１５Ｆ；１１５Ｇ）、すなわちテクスチャ表面を囲むように配置されたリムすなわち突条部を含み、
前記リムすなわち突条部は、前記導波管開口（３；３Ｂ；３Ｃ；３Ｄ；３Ｅ；３Ｆ；３Ｇ）の前記広い辺及び狭い辺を囲むように配置された長いリムすなわち突条部（１５１；１５１Ｄ；１５１Ｆ；１５１Ｇ）と、短いすなわち狭いリムすなわち突条部（１５２；１５２Ｄ；１５２Ｆ；１５２Ｇ）とを含み、
前記リムすなわち突条部（１５１、１５２；１５１Ｄ、１５２Ｄ；１５１Ｆ、１５２Ｆ；１５１Ｇ、１５２Ｇ）の寸法、例えば、厚さ及び長さは互いに対して選択され、
前記周期構造または準周期構造の前記パターン、及び前記リムすなわち突条の寸法はまた、互いに対して選択されることにより、電気的性能を最適化するが、必要とされるリムすなわち突条の厚さに関する製造要件を考慮していることを特徴とする装置。
【請求項１３】
請求項１１または１２に記載の導波管構造の相互接続のための装置であって、
前記長いまたは広いリムすなわち突条部の壁厚は約λｇ／４であり、λｇは前記導波管における前記波長であることを特徴とする装置。
【請求項１４】
請求項１〜１３のいずれか１項に記載の導波管構造の相互接続のための装置であって、
前記周期構造または準周期構造の前記突出要素（１１５；１１５Ａ；１１５Ｂ；１１５Ｃ；１１５Ｄ；１１５Ｅ；１１５Ｆ；１１５Ｇ）は、前記導波管開口の周囲に１〜４列、またはそれより多くの列、特に１〜３列で配置され、例えば、異なる列における突出要素の数は異なっていることを特徴とする装置。
【請求項１５】
請求項１〜１４のいずれか１項に記載の導波管構造の相互接続のための装置であって、
前記周期構造または準周期構造、及び前記テクスチャは、２つの相互接続し、接合するフランジの間から漏れする波に対する阻止帯域を提供するように設計され、前記テクスチャを有するフランジ表面と、対向するフランジ表面との間に小さな前記溝（３０；３０Ｂ）を有し、
これにより、１つのフランジの前記導波管開口から、相互接続し、接合するフランジの導波管開口へ流れる波は影響を受けず、前記相互接続または接合からの反射は、従来の導波管フランジが強固に締結されたねじによって非常に緊密に相互接続されているか、または接合されている場合の反射及び伝送と実質的に同一または非常に類似していることを特徴とする装置。
【請求項１６】
請求項１〜１５のいずれか１項に記載の導波管構造の相互接続のための装置であって、
前記突出要素（１１５；１１５Ａ；１１５Ｂ；１１５Ｃ；１１５Ｄ；１１５Ｅ；１１５Ｆ；１１５Ｇ）は寸法を有し、特定の所望の周波数帯域について適合されたパターンで配置されることを特徴とする装置。
【請求項１７】
請求項１〜１６のいずれか１項に記載の導波管構造の相互接続のための装置であって、
既存の解放可能な相互接続、例えば標準導波管フランジのために使用されるように適合されるか、または周期構造または準周期構造を有する１つの表面を含み、
導波管フランジをさらに含むことを特徴とする装置。
【請求項１８】
導波管フランジ、または請求項１〜１７のいずれか１項に記載の導波管構造相互接続装置もしくは導波管フランジのための、複数の突出要素（１１５；１１５Ａ；１１５Ｂ；１１５Ｃ；１１５Ｄ；１１５Ｅ；１１５Ｆ；１１５Ｇ）を含む周期構造または準周期構造（１５；１５Ａ；１５Ｂ；１５Ｃ；１５Ｄ；１５Ｆ；１５Ｇ）、すなわちテクスチャ表面を含む表面構造であって、
周囲に前記周期構造または準周期構造（１５；１５Ａ；１５Ｂ；１５Ｃ；１５Ｄ；１５Ｆ；１５Ｇ）、すなわち前記テクスチャ表面が配置された導波管開口（３；３Ｂ；３Ｃ；３Ｄ；３Ｅ；３Ｆ；３Ｇ）を囲むように配置されたリムすなわち突条部（１５１、１５２；１５１Ｄ、１５２Ｄ；１５１Ｆ、１５２Ｆ；１５２Ｇ）を含み、
表面、リムすなわち突条部は、前記導波管開口（３；３Ｂ；３Ｃ；３Ｄ；３Ｅ；３Ｆ；３Ｇ）の前記広い、及び狭い辺を囲むように配置された長いリムすなわち突条部（１５１；１５１Ｄ；１５１Ｆ；１５１Ｇ）と、短いすなわち狭いリムすなわち突条部（１５２；１５２Ｄ；１５２Ｆ；１５２Ｇ）とを含み、
前記リムすなわち突条部（１５１、１５２；１５１Ｄ、１５２Ｄ；１５１Ｆ、１５２Ｆ、１５２Ｇ）の寸法、例えば厚さ及び長さ、及び前記突出要素（１１５；１１５Ａ；１１５Ｂ；１１５Ｃ；１１５Ｄ；１１５Ｅ；１１５Ｆ；１１５Ｇ）の寸法及び前記配置、すなわちパターンは、電気的性能を最適化するように互いに関して選択されるが、リムすなわち突条部、及び突出要素の必要とされる寸法、例えば厚さについての製造要件を考慮していることを特徴とする表面構造。
【請求項１９】
請求項１８に記載の構造であって、
前記周期構造または準周期構造の前記突出要素は、前記導波管開口の周囲に１〜４列、またはそれより多くの列、特に１〜２列で配置されることを特徴とする構造。
【国際調査報告】
2019515563.tif 000035
2019515563.tif 000036
2019515563.tif 000037